(57)【要約】ワイヤレス通信のための方法、装置、及びコンピュータプログラム製品が提供される。ユーザ機器（ＵＥ）は、トーンインデックスに少なくとも部分的に基づいてシンボルのための位相回転を決定するように構成され得る。ＵＥは、受信されたシンボルに位相回転を適用し、アップリンクシンボルを送信するように構成され得る。数多くの他の態様が提供される。【選択図】図９
2021511725.tif 000002
【特許請求の範囲】
【請求項１】
ワイヤレス通信の方法であって、
基地局が、アップリンク通信においてシンボルを受信すること、ここにおいて、前記アップリンク通信は、２トーン変調スキームを使用し、サブ物理リソースブロック粒度でのリソース割り振りに関連付けられる、と、
前記基地局が、前記アップリンク通信に関連付けられた前記シンボルのための位相回転を決定すること、ここにおいて、前記位相回転は、前記リソース割り振りに関連付けられたトーンインデックスに少なくとも部分的に基づいて決定される、と、
前記基地局が、前記シンボルに前記位相回転を適用することと
を備える、方法。
【請求項２】
前記２トーン変調スキームは、π／２  ２位相偏移変調（ＢＰＳＫ）変調を使用する、
請求項１に記載の方法。
【請求項３】
前記トーンインデックスは、基準トーンインデックスであり、前記リソース割り振りに関連付けられ、前記基準トーンインデックスは、複数のシンボルについて同じである、
請求項１に記載の方法。
【請求項４】
前記基準トーンインデックスは、前記リソース割り振りに関連付けられた３つのトーンのうちの１つのトーンインデックスと一致する、請求項３に記載の方法。
【請求項５】
前記基準トーンインデックスは、前記リソース割り振りに関連付けられた２つのトーンに少なくとも部分的に基づく、請求項３に記載の方法。
【請求項６】
前記基準トーンインデックスは、前記リソース割り振りに関連付けられた前記２つのトーン間の中間点に少なくとも部分的に基づく、
請求項５に記載の方法。
【請求項７】
前記トーンインデックスは、前記シンボルが受信されるトーンのトーンインデックスである、
請求項１に記載の方法。
【請求項８】
前記位相回転は、サブフレームの開始時又はスロットの開始時にリセットされる、
請求項７に記載の方法。
【請求項９】
ワイヤレス通信の方法であって、
ユーザ機器が、アップリンク通信に関連付けられたシンボルのための位相回転を決定すること、ここにおいて、前記アップリンク通信は、２トーン変調スキームを使用するべきであり、サブ物理リソースブロック粒度でのリソース割り振りに関連付けられ、前記位相回転は、前記リソース割り振りに関連付けられたトーンインデックスに少なくとも部分的に基づいて決定される、と、
前記ユーザ機器が、前記アップリンク通信に関連付けられた前記シンボルに前記位相回転を適用することと、
前記ユーザ機器が、前記アップリンク通信に関連付けられた前記シンボルを送信することと
を備える、方法。
【請求項１０】
前記２トーン変調スキームは、π／２  ２位相偏移変調（ＢＰＳＫ）変調を使用する、
請求項９に記載の方法。
【請求項１１】
前記トーンインデックスは、基準トーンインデックスであり、前記リソース割り振りに関連付けられ、前記基準トーンインデックスは、複数のシンボルについて同じである、
請求項９に記載の方法。
【請求項１２】
前記基準トーンインデックスは、前記リソース割り振りに関連付けられた３つのトーンのうちの１つのトーンインデックスと一致する、
請求項１１に記載の方法。
【請求項１３】
前記基準トーンインデックスは、前記リソース割り振りに関連付けられた２つのトーンに少なくとも部分的に基づく、
請求項１１に記載の方法。
【請求項１４】
前記基準トーンインデックスは、前記リソース割り振りに関連付けられた前記２つのトーン間の中間点に少なくとも部分的に基づく、
請求項１３に記載の方法。
【請求項１５】
前記トーンインデックスは、前記シンボルが送信されるべき前記トーンのトーンインデックスである、
請求項９に記載の方法。
【請求項１６】
前記位相回転は、サブフレームの開始時又はスロットの開始時にリセットされる、
請求項１５に記載の方法。
【請求項１７】
ワイヤレス通信のためのワイヤレス通信デバイスであって、
メモリと、
前記メモリに結合された１つ又は複数のプロセッサと
を備え、前記メモリ及び前記１つ又は複数のプロセッサは、
アップリンク通信に関連付けられたシンボルのための位相回転を決定することと、ここにおいて、前記アップリンク通信は、２トーン変調スキームを使用し、サブ物理リソースブロック粒度でのリソース割り振りに関連付けられ、前記位相回転は、前記リソース割り振りに関連付けられたトーンインデックスに少なくとも部分的に基づいて決定される、
前記アップリンク通信に関連付けられた前記シンボルに前記位相回転を適用することと、
前記アップリンク通信に関連付けられた前記シンボルを送信することと
を行うように構成される、ワイヤレス通信デバイス。
【請求項１８】
前記２トーン変調スキームは、π／２  ２位相偏移変調（ＢＰＳＫ）変調を使用する、
請求項１７に記載のワイヤレス通信デバイス。
【請求項１９】
前記トーンインデックスは、基準トーンインデックスであり、前記リソース割り振りに関連付けられ、前記基準トーンインデックスは、複数のシンボルについて同じである、
請求項１７に記載のワイヤレス通信デバイス。
【請求項２０】
前記基準トーンインデックスは、前記リソース割り振りに関連付けられた３つのトーンのうちの１つのトーンインデックスと一致する、
請求項１９に記載のワイヤレス通信デバイス。
【請求項２１】
前記基準トーンインデックスは、前記リソース割り振りに関連付けられた２つのトーンに少なくとも部分的に基づく、
請求項１９に記載のワイヤレス通信デバイス。
【請求項２２】
前記基準トーンインデックスは、前記リソース割り振りに関連付けられた前記２つのトーン間の中間点に少なくとも部分的に基づく、
請求項２１に記載のワイヤレス通信デバイス。
【請求項２３】
前記トーンインデックスは、前記シンボルが通信される前記トーンのトーンインデックスである、
請求項１７に記載のワイヤレス通信デバイス。
【請求項２４】
前記位相回転は、サブフレームの開始時又はスロットの開始時にリセットされる、
請求項２３に記載のワイヤレス通信デバイス。
【請求項２５】
ワイヤレス通信の方法であって、
ユーザ機器（ＵＥ）が、１つ又は複数のシーケンスに少なくとも部分的に基づいて１トーン復調基準信号を生成すること、ここにおいて、前記ＵＥは、サブ物理リソースブロック粒度でのリソース割り振りと２トーン変調スキームとに少なくとも部分的に基づいて前記１トーン復調基準信号を送信するべきである、と、
前記ＵＥが、前記リソース割り振りに関連付けられた単一のトーンを使用して前記１トーン復調基準信号を送信することと
を備える、方法。
【請求項２６】
前記２トーン変調スキームは、π／２  ２位相偏移変調（ＢＰＳＫ）変調を使用する、
請求項２５に記載の方法。
【請求項２７】
前記単一のトーンは、前記リソース割り振りに関連付けられた３つのトーンのうちの１つである、
請求項２５に記載の方法。
【請求項２８】
前記１つ又は複数のシーケンスは、第１のシーケンス及び第２のシーケンスを含む、
請求項２５に記載の方法。
【請求項２９】
前記１トーン復調基準信号は、前記第１のシーケンスと前記第２のシーケンスとの複合に少なくとも部分的に基づいて生成される、
請求項２８に記載の方法。
【請求項３０】
前記第１のシーケンスは、アダマール符号であり、前記第２のシーケンスは、バイナリシーケンスである、
請求項２８に記載の方法。
【発明の詳細な説明】
【関連出願の相互参照】
【０００１】
[0001]本出願は、「TECHNIQUES AND APPARATUSES FOR DEMODULATION REFERENCE SIGNAL AND PHASE ROTATION FOR SUB-PHYSICAL RESOURCE BLOCK ALLOCATION WITH TWO TONE MODULATION」と題された、２０１８年１月１７日に出願された特許協力条約出願第ＰＣＴ／ＣＮ２０１８／０７２９６８号、及び「DEMODULATION REFERENCE SIGNAL AND PHASE ROTATION FOR SUB-PHYSICAL RESOURCE BLOCK ALLOCATION WITH TWO TONE MODULATION」と題された、２０１８年１２月１８日に出願された米国非仮特許出願第１６／２２４，２２７号の優先権を主張し、それらは、参照により本明細書に明確に組み込まれる。
【技術分野】
【０００２】
[0002]本開示の態様は、一般にワイヤレス通信に関し、より詳細には、２トーン変調を用いるサブ物理リソースブロック（サブＰＲＢ）割り振りのための復調基準信号（ＤＭＲＳ）及び位相回転（phase rotation）のための技法及び装置に関する。
【背景技術】
【０００３】
[0003]ワイヤレス通信システムは、電話通信、ビデオ、データ、メッセージング、及びブロードキャストなどの様々な電気通信サービスを提供するために広く展開されている。典型的なワイヤレス通信システムは、利用可能なシステムリソース（例えば、帯域幅、送信電力、及び／又は同様のもの）を共有することによって複数のユーザとの通信をサポートすることが可能である多元接続技術を用い得る。そのような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、時分割同期符号分割多元接続（ＴＤ−ＳＣＤＭＡ）システム、及びロングタームエボリューション（ＬＴＥ（登録商標））を含む。ＬＴＥ／ＬＴＥアドバンストは、第３世代パートナーシッププロジェクト（３ＧＰＰ（登録商標））によって公表されたユニバーサルモバイル電気通信システム（ＵＭＴＳ）のモバイル規格への拡張セットである。
【０００４】
[0004]ワイヤレス通信ネットワークは、いくつかのユーザ機器（ＵＥ）のための通信をサポートすることができるいくつかの基地局（ＢＳ）を含み得る。ＵＥは、ダウンリンク及びアップリンクを介してＢＳと通信し得る。ダウンリンク（即ち順方向リンク）は、ＢＳからＵＥへの通信リンクを指し、アップリンク（即ち逆方向リンク）は、ＵＥからＢＳへの通信リンクを指す。本明細書でより詳細に説明されることになるように、ＢＳは、ノードＢ、ｇＮＢ、アクセスポイント（ＡＰ）、無線ヘッド、送受信ポイント（ＴＲＰ）、５Ｇ ＢＳ、５ＧノードＢ、及び／又は同様のもので呼ばれ得る。
【０００５】
[0005]上記の多元接続技術は、異なるワイヤレス通信デバイスが、都市、国家、地域、更には地球規模で通信することを可能にする共通プロトコルを提供するために、様々な電気通信規格において採用されてきた。ニューラジオ（ＮＲ）とも呼ばれ得る５Ｇは、第３世代パートナーシッププロジェクト（３ＧＰＰ）によって公表されたＬＴＥモバイル規格の拡張セットである。５Ｇは、スペクトル効率を改善することと、コストを下げることと、サービスを改善することと、新たなスペクトルを利用することと、ダウンリンク（ＤＬ）上でサイクリックプレフィックス（ＣＰ）を伴うＯＦＤＭＡ（ＣＰ−ＯＦＤＭ）を、アップリンク（ＵＬ）上でＣＰ−ＯＦＤＭ及び／又は（例えば、離散フーリエ変換拡散ＯＦＤＭ（ＤＦＴ−ｓ−ＯＦＤＭ）としても知られる）ＳＣ−ＦＤＭを使用して他のオープン規格とより良く統合することとによって、モバイルブロードバンドインターネットアクセスをより良くサポートし、並びにビームフォーミングと、多入力多出力（ＭＩＭＯ）アンテナ技術と、キャリアアグリゲーションとをより良くサポートするように設計されている。しかしながら、モバイルブロードバンドアクセスに対する需要が増大し続けるにつれて、ＬＴＥ及び５Ｇ技術における更なる改善の必要性が存在する。好ましくは、これらの改善は、他の多元接続技術及びこれらの技術を用いる電気通信規格に適用可能であるべきである。
【０００６】
[0006]一般に、アップリンク通信（例えば、拡張マシンタイプ通信（ｅＭＴＣ）ＵＥによって送信される物理アップリンク共有チャネル（ＰＵＳＣＨ）通信）のための最小リソース割り振り粒度（minimum resource allocation granularity）は、１つのＰＲＢである。しかしながら、そのような最小粒度での割り振りは、（例えば、ＵＥが、例えば、ディープカバレッジシナリオ（deep coverage scenario）において１つのＰＲＢ割り振りを用いても電力制限されるので）非効率的であり得る。このことから、リソース割り振りの最小粒度を１つのＰＲＢ未満に低減することは、追加のＵＥが（周波数分割多重化を使用して）ＰＲＢ中で多重化されることを可能にすることによって、アップリンクスペクトル効率を改善し得る。（例えば、ｅＭＴＣ ＵＥのための）サブＰＲＢ粒度でのリソース割り振りをサポートするための１つの技法は、ＳＣ−ＦＤＭＡπ／２位相偏移変調（ＢＰＳＫ）変調を用いる３つのサブキャリア（例えば、３つの隣接するサブキャリア）のリソース割り振りをインプリメントすることであり、ここで、３つのサブキャリアのうちの２つのみが、アップリンク通信を送信するためにＵＥによって使用される。この技法は、比較的低いピーク対平均電力比（ＰＡＰＲ）を提供するという利点を有するが、これは、長さ２のＤＦＴ拡散を用いると、ＵＥに単一のトーン（即ち、単一の割り振られたサブキャリア）を使用して送信させるからである。しかしながら、アップリンクデータのそのような送信に関連付けられた復調基準信号（ＤＭＲＳ）を生成及び送信するとき、例えば、ＤＭＲＳに関連付けられたＰＡＰＲをデータ送信に関連付けられたＰＡＰＲに適度に近く保つために、１トーンＤＭＲＳ（即ち、単一のサブキャリアを使用するＤＭＲＳ）が望ましくあり得る。
【０００７】
[0007]更に、受信機が、１トーンアップリンク通信に関連付けられたシンボル（例えば、１トーンＤＭＲＳに関連付けられたシンボル、２変調スキームに少なくとも部分的に基づいて１トーン中で送信されるアップリンクデータに関連付けられたシンボル）を受信するとき、受信機は、前のシンボルの終了と次のシンボルの開始との間の位相跳躍（phase jump）を補償する必要がある。特に、位相回転は、各シンボルにわたって連続的に適用され、所与のシンボルにおける位相回転は、全ての前のシンボルの位相回転に依存する。言い換えれば、位相回転は、シンボルにわたって累算される。ＳＣ−ＦＤＭＡπ／２ ＢＰＳＫを使用する２トーン変調の場合、所与のシンボルのトーンインデックスは、（例えば、所与のシンボルのために使用されるサブキャリアが、次のシンボルのために使用されるサブキャリアとは異なる可能性があるので）前のシンボルのトーンインデックスとは異なる可能性がある。このことから、１トーン通信のために実際に使用されるトーンのトーンインデックスに基づいて決定される位相回転は、位相連続性が維持されることを可能にし得るが、これは、実際には受信機にとって実現不可能及び／又は望ましくないことがある。例えば、所与のシンボルのための位相回転は、全ての前のシンボルのための位相回転に依存するので、受信機は、Ｎ個のシンボルについて２N個の仮説（hypotheses）を仮定する必要があり、それによって、（例えば、トレリス復号器（trellis decoder）を必要とすることによって）受信機における複雑さが増大する。
【発明の概要】
【０００８】
[0008]本明細書で説明されるいくつかの技法及び装置は、１つ又は複数のシーケンスに少なくとも部分的に基づく１トーンＤＭＲＳの生成を提供する。１トーンＤＭＲＳは、本明細書で説明されるように、ＵＥがサブＰＲＢ粒度でリソースを割り振られ、２トーン変調を使用するとき、ＵＥによって生成及び送信され得る。いくつかの態様では、１トーンＤＭＲＳは、第１のシーケンス（例えば、線形巡回コード、アダマールコード、ゴールドシーケンス、複数の複素直交シーケンスのうちの１つ、及び／又は同様のもの）及び第２のシーケンス（例えば、ゴールドシーケンス、複数のバイナリ直交シーケンスのうちの１つ、及び／又は同様のもの）に少なくとも部分的に基づいて生成され得る。加えて又は代替として、１トーンＤＭＲＳは、単一のバイナリシーケンスに少なくとも部分的に基づいて生成され得る。いくつかの態様では、１トーンＤＭＲＳは、サブＰＲＢリソース割り振りに関連付けられた単一のトーン中で送信され得る。
【０００９】
[0009]本明細書で説明されるいくつかの技法及び装置は、トーンインデックスに少なくとも部分的に基づく、１トーンアップリンク通信に関連付けられたシンボルのための位相回転の決定を提供する。位相回転は、本明細書で説明されるように、アップリンク通信がサブＰＲＢ粒度で割り振られたリソースを使用し、２トーン変調を使用するとき、ワイヤレス通信デバイス（例えば、基地局、ＵＥ）によって決定及び適用され得る。いくつかの態様では、位相回転は、基準トーンインデックスに少なくとも部分的に基づいて決定され得る。いくつかの態様では、基準トーンインデックスは、リソース割り振りに関連付けられた特定のトーンに対応し得るか、又はリソース割り振りに関連付けられた２つのトーン（例えば、２つのトーンに関連付けられた中間点）に少なくとも部分的に基づき得る。いくつかの態様では、位相回転は、位相跳躍を補償するためにシンボルに適用され得る。
【００１０】
[0010]本開示の一態様では、方法、ユーザ機器（ＵＥ）、基地局、装置、及びコンピュータプログラム製品が提供される。
【００１１】
[0011]いくつかの態様では、方法は、ＵＥによって実行され得る。方法は、ＵＥが、１つ又は複数のシーケンスに少なくとも部分的に基づいて１トーン復調基準信号を生成すること、ここにおいて、ＵＥは、サブ物理リソースブロック粒度でのリソース割り振りと２トーン変調スキームとに少なくとも部分的に基づいて１トーン復調基準信号を送信するべきである、と、ＵＥが、リソース割り振りに関連付けられた単一のトーンを使用して１トーン復調基準信号を送信することとを含み得る。
【００１２】
[0012]いくつかの態様では、ＵＥは、メモリと、メモリに動作可能に結合された１つ又は複数のプロセッサとを含み得る。メモリ及び１つ又は複数のプロセッサは、１つ又は複数のシーケンスに少なくとも部分的に基づいて１トーン復調基準信号を生成すること、ここにおいて、ＵＥは、サブ物理リソースブロック粒度でのリソース割り振りと２トーン変調スキームとに少なくとも部分的に基づいて１トーン復調基準信号を送信するべきである、と、リソース割り振りに関連付けられた単一のトーンを使用して１トーン復調基準信号を送信することとを行うように構成され得る。
【００１３】
[0013]いくつかの態様では、装置は、１つ又は複数のシーケンスに少なくとも部分的に基づいて１トーン復調基準信号を生成するための手段、ここにおいて、装置は、サブ物理リソースブロック粒度でのリソース割り振りと２トーン変調スキームとに少なくとも部分的に基づいて１トーン復調基準信号を送信するべきである、と、リソース割り振りに関連付けられた単一のトーンを使用して１トーン復調基準信号を送信するための手段とを含み得る。
【００１４】
[0014]いくつかの態様では、コンピュータプログラム製品は、１つ又は複数の命令を記憶する非一時的コンピュータ可読媒体を含み得る。１つ又は複数の命令は、ＵＥの１つ又は複数のプロセッサによって実行されると、１つ又は複数のプロセッサに、１つ又は複数のシーケンスに少なくとも部分的に基づいて１トーン復調基準信号を生成すること、ここにおいて、ＵＥは、サブ物理リソースブロック粒度でのリソース割り振りと２トーン変調スキームとに少なくとも部分的に基づいて１トーン復調基準信号を送信するべきである、と、リソース割り振りに関連付けられた単一のトーンを使用して１トーン復調基準信号を送信することとを行わせ得る。
【００１５】
[0015]いくつかの態様では、方法は、基地局によって実行され得る。方法は、基地局が、アップリンク通信に関連付けられたシンボルのための位相回転を決定すること、ここにおいて、アップリンク通信は、２トーン変調スキームを使用し、サブ物理リソースブロック粒度でのリソース割り振りに関連付けられ、位相回転は、リソース割り振りに関連付けられたトーンインデックスに少なくとも部分的に基づいて決定される、と、基地局が、シンボルに位相回転を適用することとを含み得る。
【００１６】
[0016]いくつかの態様では、基地局は、メモリと、メモリに動作可能に結合された１つ又は複数のプロセッサとを含み得る。メモリ及び１つ又は複数のプロセッサは、アップリンク通信に関連付けられたシンボルのための位相回転を決定すること、ここにおいて、アップリンク通信は、２トーン変調スキームを使用し、サブ物理リソースブロック粒度でのリソース割り振りに関連付けられ、位相回転は、リソース割り振りに関連付けられたトーンインデックスに少なくとも部分的に基づいて決定される、と、シンボルに位相回転を適用することとを行うように構成され得る。
【００１７】
[0017]いくつかの態様では、装置は、アップリンク通信に関連付けられたシンボルのための位相回転を決定するための手段、ここにおいて、アップリンク通信は、２トーン変調スキームを使用し、サブ物理リソースブロック粒度でのリソース割り振りに関連付けられ、位相回転は、リソース割り振りに関連付けられたトーンインデックスに少なくとも部分的に基づいて決定される、と、シンボルに位相回転を適用するための手段とを含み得る。
【００１８】
[0018]いくつかの態様では、コンピュータプログラム製品は、１つ又は複数の命令を記憶する非一時的コンピュータ可読媒体を含み得る。１つ又は複数の命令は、基地局の１つ又は複数のプロセッサによって実行されると、１つ又は複数のプロセッサに、アップリンク通信に関連付けられたシンボルのための位相回転を決定すること、ここにおいて、アップリンク通信は、２トーン変調スキームを使用し、サブ物理リソースブロック粒度でのリソース割り振りに関連付けられ、位相回転は、リソース割り振りに関連付けられたトーンインデックスに少なくとも部分的に基づいて決定される、と、シンボルに位相回転を適用することとを行わせ得る。
【００１９】
[0019]いくつかの態様では、方法は、ＵＥによって実行され得る。方法は、ＵＥが、アップリンク通信に関連付けられたシンボルのための位相回転を決定すること、ここにおいて、アップリンク通信は、２トーン変調スキームを使用するべきであり、サブ物理リソースブロック粒度でのリソース割り振りに関連付けられ、位相回転は、リソース割り振りに関連付けられたトーンインデックスに少なくとも部分的に基づいて決定される、と、ＵＥが、シンボルに位相回転を適用することとを含み得る。
【００２０】
[0020]いくつかの態様では、ワイヤレス通信デバイスは、メモリと、メモリに動作可能に結合された１つ又は複数のプロセッサとを含み得る。メモリ及び１つ又は複数のプロセッサは、アップリンク通信に関連付けられたシンボルのための位相回転を決定すること、ここにおいて、アップリンク通信は、２トーン変調スキームを使用するべきであり、サブ物理リソースブロック粒度でのリソース割り振りに関連付けられ、位相回転は、リソース割り振りに関連付けられたトーンインデックスに少なくとも部分的に基づいて決定される、と、シンボルに位相回転を適用することとを行うように構成され得る。
【００２１】
[0021]いくつかの態様では、装置は、アップリンク通信に関連付けられたシンボルのための位相回転を決定するための手段、ここにおいて、アップリンク通信は、２トーン変調スキームを使用するべきであり、サブ物理リソースブロック粒度でのリソース割り振りに関連付けられ、位相回転は、リソース割り振りに関連付けられたトーンインデックスに少なくとも部分的に基づいて決定される、と、シンボルに位相回転を適用するための手段とを含み得る。
【００２２】
[0022]いくつかの態様では、コンピュータプログラム製品は、１つ又は複数の命令を記憶する非一時的コンピュータ可読媒体を含み得る。１つ又は複数の命令は、ＵＥの１つ又は複数のプロセッサによって実行されると、１つ又は複数のプロセッサに、アップリンク通信に関連付けられたシンボルのための位相回転を決定すること、ここにおいて、アップリンク通信は、２トーン変調スキームを使用するべきであり、サブ物理リソースブロック粒度でのリソース割り振りに関連付けられ、位相回転は、リソース割り振りに関連付けられたトーンインデックスに少なくとも部分的に基づいて決定される、と、シンボルに位相回転を適用することとを行わせ得る。
【００２３】
[0023]態様は一般に、添付の図面及び明細書を参照して及びそれらによって例示されるように本明細書で実質的に説明される、方法、装置、システム、コンピュータプログラム製品、非一時的コンピュータ可読媒体、ユーザ機器、基地局、ワイヤレス通信デバイス、及び処理システムを含む。
【００２４】
[0024]前述は、以下の詳細な説明がより良く理解され得るように、本開示に従った例の特徴及び技術的利点をどちらかといえば広く概説している。追加の特徴及び利点が以下に説明されることになる。開示される概念及び特定の例は、本開示と同じ目的を実行するための他の構造を修正又は設計するための基礎として容易に利用され得る。そのような等価な構造は、添付された特許請求の範囲から逸脱しない。本明細書で開示される概念の特性は、関連する利点と共に、それらの編成及び動作の方法の両方に関して、添付の図面に関連して検討されたときに以下の説明からより良く理解されるであろう。図面の各々は、例示及び説明を目的として提供され、特許請求の範囲の限定の定義としては提供されない。
【図面の簡単な説明】
【００２５】
【図１】[0025]ワイヤレス通信ネットワークの一例を例示する図である。
【図２】[0026]ワイヤレス通信ネットワーク中のユーザ機器（ＵＥ）と通信状態にある基地局の一例を例示する図である。
【図３】[0027]分散型無線アクセスネットワーク（ＲＡＮ）の実例的な論理アーキテクチャを例示する図である。
【図４】[0028]分散型ＲＡＮの実例的な物理アーキテクチャを例示する図である。
【図５Ａ】[0029]２トーン変調を用いるサブＰＲＢ割り振りのために１トーンＤＭＲＳを生成する一例に関連付けられた図である。
【図５Ｂ】２トーン変調を用いるサブＰＲＢ割り振りのために１トーンＤＭＲＳを生成する一例に関連付けられた図である。
【図５Ｃ】２トーン変調を用いるサブＰＲＢ割り振りのために１トーンＤＭＲＳを生成する一例に関連付けられた図である。
【図５Ｄ】２トーン変調を用いるサブＰＲＢ割り振りのために１トーンＤＭＲＳを生成する一例に関連付けられた図である。
【図５Ｅ】２トーン変調を用いるサブＰＲＢ割り振りのために１トーンＤＭＲＳを生成する一例に関連付けられた図である。
【図６】[0030]ワイヤレス通信の方法のフローチャートである。
【図７】[0031]実例的な装置中の異なるモジュール／手段／コンポーネント間のデータフローを例示する概念的なデータフロー図である。
【図８】[0032]処理システムを用いる装置のためのハードウェアインプリメンテーションの一例を例示する図である。
【図９】[0033]２トーン変調を用いるサブＰＲＢ割り振りに関連付けられたアップリンク通信のシンボルのための位相回転を決定する一例に関連付けられた図である。
【図１０】[0034]ワイヤレス通信の方法のフローチャートである。
【図１１】[0035]実例的な装置中の異なるモジュール／手段／コンポーネント間のデータフローを例示する概念的なデータフロー図である。
【図１２】[0036]処理システムを用いる装置のためのハードウェアインプリメンテーションの一例を例示する図である。
【図１３】[0037]ワイヤレス通信の方法のフローチャートである。
【図１４】[0038]実例的な装置中の異なるモジュール／手段／コンポーネント間のデータフローを例示する概念的なデータフロー図である。
【図１５】[0039]処理システムを用いる装置のためのハードウェアインプリメンテーションの一例を例示する図である。
【詳細な説明】
【００２６】
[0040]添付された図面に関連して以下に記載される詳細な説明は、様々な構成の説明として意図され、本明細書で説明される概念が実施され得る構成を表すことを意図されない。詳細な説明は、様々な概念の完全な理解を提供することを目的とした特定の詳細を含む。しかしながら、これらの概念がそれらの特定の詳細なしに実施され得ることは当業者にとって明らかであろう。いくつかの事例では、よく知られた構造及びコンポーネントは、そのような概念を曖昧にすることを避けるためにブロック図形式で示される。
【００２７】
[0041]ここで、電気通信システムのいくつかの態様が、様々な装置及び方法を参照して提示されることになる。これらの装置及び技法は、以下の詳細な説明において説明され、様々なブロック、モジュール、コンポーネント、回路、ステップ、プロセス、アルゴリズム、及び／又は同様のもの（一括して「要素」と呼ばれる）によって添付の図面において例示されることになる。これらの要素は、電子ハードウェア、コンピュータソフトウェア、又はそれらの任意の組み合わせを使用してインプリメントされ得る。そのような要素がハードウェアとしてインプリメントされるか、又はソフトウェアとしてインプリメントされるかは、特定のアプリケーションとシステム全体上に課せられる設計制約とに依存する。
【００２８】
[0042]例として、要素、又は要素の任意の一部、又は要素の任意の組み合わせは、１つ又は複数のプロセッサを含む「処理システム」を用いてインプリメントされ得る。プロセッサの例は、マイクロプロセッサ、マイクロコントローラ、デジタルシグナルプロセッサ（ＤＳＰ）、フィールドプログラマブルゲートアレイ（ＦＰＧＡ）、プログラマブルロジックデバイス（ＰＬＤ）、ステートマシン、ゲートロジック、ディスクリートハードウェア回路、及びこの開示全体を通じて説明される様々な機能を実行するように構成された他の適したハードウェアを含む。処理システム中の１つ又は複数のプロセッサは、ソフトウェアを実行し得る。ソフトウェアは、ソフトウェア、ファームウェア、ミドルウェア、マイクロコード、ハードウェア記述言語、又はその他の名称で呼ばれるかにかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数、及び／又は同様のものを意味するように広く解釈されるべきである。
【００２９】
[0043]それ故に、１つ又は複数の実例的な実施形態では、説明される機能は、ハードウェア、ソフトウェア、ファームウェア、又はそれらの任意の組み合わせにおいてインプリメントされ得る。ソフトウェアにおいてインプリメントされる場合、機能は、コンピュータ可読媒体上で１つ又は複数の命令又はコードとして記憶又は符号化され得る。コンピュータ可読媒体は、コンピュータ記憶媒体を含む。記憶媒体は、コンピュータによってアクセスされることができる任意の利用可能な媒体であり得る。限定ではなく例として、そのようなコンピュータ可読媒体は、ランダムアクセスメモリ（ＲＡＭ）、読取専用メモリ（ＲＯＭ）、電気的消去可能プログラマブルＲＯＭ（ＥＥＰＲＯＭ（登録商標））、コンパクトディスクＲＯＭ（ＣＤ−ＲＯＭ）若しくは他の光ディスク記憶装置、磁気ディスク記憶装置若しくは他の磁気記憶デバイス、前述されたタイプのコンピュータ可読媒体の組み合わせ、又はコンピュータによってアクセスされることができるデータ構造若しくは命令の形態でコンピュータ実行可能コードを記憶するために使用されることができる任意の他の媒体を備えることができる。
【００３０】
[0044]態様は、３G及び／又は４Gワイヤレス技術に共通して関連付けられた専門用語を使用して本明細書で説明され得るが、本開示の態様は、５G及び後続の関連する技術などの他の世代ベースの通信システム中で適用されることができることに留意されたい。
【００３１】
[0045]図１は、本開示の態様が実施され得るネットワーク１００を例示する図である。ネットワーク１００は、ＬＴＥネットワーク又は５Ｇネットワークなどの何らかの他のワイヤレスネットワークであり得る。ワイヤレスネットワーク１００は、いくつかのＢＳ１１０（ＢＳ１１０ａ、ＢＳ１１０ｂ、ＢＳ１１０ｃ、及びＢＳ１１０ｄとして示される）及び他のネットワークエンティティを含み得る。ＢＳは、ユーザ機器（ＵＥ）と通信するエンティティであり、基地局、５Ｇ ＢＳ、ノードＢ、ｇＮＢ、５Ｇ ＮＢ、アクセスポイント、送受信ポイント（ＴＲＰ）、及び／又は同様のものでも呼ばれ得る。各ＢＳは、特定の地理的エリアに通信カバレッジを提供し得る。３ＧＰＰでは、「セル」という用語は、この用語が使用されるコンテキストに応じて、ＢＳのカバレッジエリア及び／又はこのカバレッジエリアにサービングするＢＳサブシステムを指すことができる。
【００３２】
[0046]ＢＳは、マクロセル、ピコセル、フェムトセル、及び／又は別のタイプのセルに通信カバレッジを提供し得る。マクロセルは、比較的大きい地理的エリア（例えば、半径数キロメートル）をカバーし得、サービスに加入しているＵＥによる無制限のアクセスを可能にし得る。ピコセルは、比較的小さい地理的エリアをカバーし得、サービスに加入しているＵＥによる無制限のアクセスを可能にし得る。フェムトセルは、比較的小さい地理的エリア（例えば、自宅）をカバーし得、フェムトセルとのアソシエーションを有するＵＥ（例えば、限定加入者グループ（ＣＳＧ：closed subscriber group）中のＵＥ）による制限付きアクセスを可能にし得る。マクロセルのためのＢＳは、マクロＢＳと呼ばれ得る。ピコセルのためのＢＳは、ピコＢＳと呼ばれ得る。フェムトセルのためのＢＳは、フェムトＢＳ又はホームＢＳと呼ばれ得る。図１に示される一例では、ＢＳ１１０ａは、マクロセル１０２ａのためのマクロＢＳであり得、ＢＳ１１０ｂは、ピコセル１０２ｂのためのピコＢＳであり得、ＢＳ１１０ｃは、フェムトセル１０２ｃのためのフェムトＢＳであり得る。ＢＳは、１つ又は複数の（例えば、３つの）セルをサポートし得る。「ｅＮＢ」、「基地局」、「５Ｇ ＢＳ」、「ｇＮＢ」、「ＴＲＰ」、「ＡＰ」、「ノードＢ」、「５Ｇ ＮＢ」、及び「セル」という用語は、本明細書では交換可能に使用され得る。いくつかの態様では、ＢＳ１１０は、本明細書で説明されるように、（例えば、アップリンク通信を送信するＵＥがサブＰＲＢ粒度でリソースを割り振られ、２トーン変調を使用するとき）受信されたシンボルに関連付けられたトーンのトーンインデックスに少なくとも部分的に基づいて、１トーンアップリンク送信に関連付けられた受信されたシンボルのための位相回転を決定し得る。
【００３３】
[0047]いくつかの例では、セルは、必ずしも固定ではないことがあり、セルの地理的エリアは、モバイルＢＳのロケーションに従って移動し得る。いくつかの例では、ＢＳは、直接物理接続、仮想ネットワーク、及び／又は任意の適したトランスポートネットワークを使用する同様のものなどの様々なタイプのバックホールインターフェースを通じて、アクセスネットワーク１００中で互いに及び／又は１つ又は複数の他のＢＳ若しくはネットワークノード（図示せず）に相互接続され得る。
【００３４】
[0048]ワイヤレスネットワーク１００はまた、中継局を含み得る。中継局は、アップストリーム局（例えば、ＢＳ又はＵＥ）からのデータの送信を受信し、ダウンストリーム局（例えば、ＵＥ又はＢＳ）へのデータの送信を送ることができるエンティティである。中継局はまた、他のＵＥのための送信を中継することができるＵＥであり得る。図１に示される一例では、中継局１１０ｄは、ＢＳ１１０ａとＵＥ１２０ｄとの間の通信を容易にするために、マクロＢＳ１１０ａ及びＵＥ１２０ｄと通信し得る。中継局はまた、中継ＢＳ、中継基地局、中継器、及び／又は同様のもので呼ばれ得る。
【００３５】
[0049]ワイヤレスネットワーク１００は、異なるタイプのＢＳ、例えば、マクロＢＳ、ピコＢＳ、フェムトＢＳ、中継ＢＳ、及び／又は同様のものを含む異種ネットワークであり得る。これらの異なるタイプのＢＳは、ワイヤレスネットワーク１００中で、異なる送信電力レベル、異なるカバレッジエリア、及び干渉に対する異なる影響を有し得る。例えば、マクロＢＳが、高い送信電力レベル（例えば、５〜４０ワット）を有し得るのに対して、ピコＢＳ、フェムトＢＳ、及び中継ＢＳは、より低い送信電力レベル（例えば、０．１〜２ワット）を有し得る。
【００３６】
[0050]ネットワークコントローラ１３０は、ＢＳのセットに結合し得、これらのＢＳに協調及び制御を提供し得る。ネットワークコントローラ１３０は、バックホールを介してＢＳと通信し得る。ＢＳはまた、例えば、ワイヤレス又はワイヤラインバックホールを介して間接的に又は直接互いと通信し得る。
【００３７】
[0051]ＵＥ１２０（例えば、１２０ａ、１２０ｂ、１２０ｃ）は、ワイヤレスネットワーク１００全体を通じて分散され得、各ＵＥは、固定又はモバイルであり得る。ＵＥはまた、アクセス端末、端末、モバイル局、加入者ユニット、局、等と呼ばれ得る。ＵＥは、セルラ電話（例えば、スマートフォン）、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、タブレット、カメラ、ゲーミングデバイス、ネットブック、スマートブック、ウルトラブック、医療デバイス若しくは医療機器、生体センサ／デバイス、ウェアラブルデバイス（スマートウォッチ、スマート衣料、スマートグラス、スマートリストバンド、スマートジュエリ（例えば、スマートリング、スマートブレスレット））、エンターテインメントデバイス（例えば、音楽若しくはビデオデバイス、又は衛星ラジオ）、ビークルコンポーネント若しくはセンサ、スマートメータ／センサ、工業製造機器、全地球測位システムデバイス、又はワイヤレス若しくはワイヤード媒体を介して通信するように構成された任意の他の適したデバイスであり得る。いくつかの態様では、ＵＥ１２０は、本明細書で説明されるように、ＵＥ１２０がサブＰＲＢ粒度でリソースを割り振られ、２トーン変調を使用するとき、（例えば、１つ又は複数のシーケンスに少なくとも部分的に基づいて）１トーンＤＭＲＳを生成し得、単一のトーン中で１トーンＤＭＲＳを送信し得る。
【００３８】
[0052]いくつかのＵＥは、マシンタイプ通信（ＭＴＣ）又は発展型若しくは拡張マシンタイプ通信（ｅＭＴＣ）ＵＥと見なされ得る。ＭＴＣ ＵＥ及びｅＭＴＣ ＵＥは、基地局、別のデバイス（例えば、遠隔デバイス）、又は何らかの他のエンティティと通信し得る、例えば、ロボット、ドローン、遠隔デバイス、例えば、センサ、メータ、モニタ、ロケーションタグ、等を含む。ワイヤレスノードは、例えば、ワイヤード又はワイヤレス通信リンクを介して、ネットワーク（例えば、セルラネットワーク又はインターネットなどのワイドエリアネットワーク）のための、又はそれへの接続性を提供し得る。いくつかのＵＥは、モノのインターネット（ＩｏＴ）デバイスと見なされ得る、及び／又はＮＢ−ＩｏＴ（ナローバンドモノのインターネット）デバイスとしてインプリメントされ得るようにインプリメントされ得る。いくつかのＵＥは、顧客構内機器（ＣＰＥ：Customer Premises Equipment）と見なされ得る。ＵＥ１２０は、プロセッサコンポーネント、メモリコンポーネント、及び／又は同様のものなど、ＵＥ１２０のコンポーネントを収容するハウジング内部に含まれ得る。
【００３９】
[0053]一般に、任意の数のワイヤレスネットワークが、所与の地理的エリア中に展開され得る。各ワイヤレスネットワークは、特定のＲＡＴをサポートし得、１つ又は複数の周波数上で動作し得る。ＲＡＴはまた、無線技術、エアインターフェース、及び／又は同様のもので呼ばれ得る。周波数はまた、キャリア、周波数チャネル、及び／又は同様のもので呼ばれ得る。各周波数は、異なるＲＡＴのワイヤレスネットワーク間の干渉を避けるために、所与の地理的エリア中で単一のＲＡＴをサポートし得る。いくつかのケースでは、５Ｇ ＲＡＴネットワークが展開され得る。
【００４０】
[0054]いくつかの例では、エアインターフェースへのアクセスがスケジューリングされ得、ここにおいて、スケジューリングエンティティ（例えば、基地局）は、スケジューリングエンティティのサービスエリア又はセル内のいくつか又は全てのデバイス及び機器間の通信のためのリソースを割り振る。本開示内では、更に以下に論述されるように、スケジューリングエンティティは、１つ又は複数の下位（subordinate）エンティティのためのリソースをスケジューリング、割り当て、再構成、及び解放することを担い得る。即ち、スケジューリングされた通信のために、下位エンティティは、スケジューリングエンティティによって割り振られたリソースを利用する。
【００４１】
[0055]基地局は、スケジューリングエンティティとして機能し得る唯一のエンティティではない。即ち、いくつかの例では、ＵＥが、スケジューリングエンティティとして機能し得、１つ又は複数の下位エンティティ（例えば、１つ又は複数の他のＵＥ）のためのリソースをスケジューリングする。この例では、ＵＥは、スケジューリングエンティティとして機能しており、他のＵＥは、ワイヤレス通信のために該ＵＥによってスケジューリングされたリソースを利用する。ＵＥは、ピアツーピア（Ｐ２Ｐ）ネットワーク中で、及び／又はメッシュネットワーク中でスケジューリングエンティティとして機能し得る。メッシュネットワークの例では、ＵＥはオプションとして、スケジューリングエンティティと通信することに加えて、互いと直接通信し得る。
【００４２】
[0056]このことから、時間−周波数リソースへのスケジューリングされたアクセスを伴い、且つセルラ構成、Ｐ２Ｐ構成、及びメッシュ構成を有するワイヤレス通信ネットワークでは、スケジューリングエンティティ及び１つ又は複数の下位エンティティは、スケジューリングされたリソースを利用して通信し得る。
【００４３】
[0057]いくつかの態様では、（例えば、ＵＥ１２０ａ及びＵＥ１２０ｅとして示される）２つ以上のＵＥ１２０は、（例えば、互いに通信するための媒介として基地局１１０を使用せずに）１つ又は複数のサイドリンクチャネルを使用して直接通信し得る。例えば、ＵＥ１２０は、ピアツーピア（Ｐ２Ｐ）通信、デバイスツーデバイス（Ｄ２Ｄ）通信、ビークルツーエブリシング（Ｖ２Ｘ）プロトコル（例えば、それは、ビークルツービークル（Ｖ２Ｖ）プロトコル、ビークルツーインフラストラクチャ（Ｖ２Ｉ）プロトコル、及び／又は同様のものを含み得る）、メッシュネットワーク、及び／又は同様のものを使用して通信し得る。このケースでは、ＵＥ１２０は、スケジューリング動作、リソース選択動作、及び／又は基地局１１０によって実行されるものとして本明細書の他の箇所で説明される他の動作を実行し得る。
【００４４】
[0058]上記に示されたように、図１は、単に例として提供される。他の例は、図１に関して説明されたものとは異なり得る。
【００４５】
[0059]図２は、基地局１１０及びＵＥ１２０の設計のブロック図２００を示し、それらは、図１の基地局のうちの１つ及びＵＥのうちの１つであり得る。基地局１１０は、Ｔ個のアンテナ２３４ａ〜２３４ｔを装備され得、ＵＥ１２０は、Ｒ個のアンテナ２５２ａ〜２５２ｒを装備され得、ここで、一般に、Ｔ≧１及びＲ≧１である。
【００４６】
[0060]基地局１１０において、送信プロセッサ２２０は、１つ又は複数のＵＥのためのデータをデータソース２１２から受信し、ＵＥから受信されたチャネル品質インジケータ（ＣＱＩ）に少なくとも部分的に基づいて、各ＵＥのために１つ又は複数の変調及びコーディングスキーム（ＭＣＳ）を選択し、ＵＥのために選択されたＭＣＳ（１つ以上）に少なくとも部分的に基づいて、各ＵＥのためのデータを処理（例えば、符号化及び変調）し、全てのＵＥにデータシンボルを提供し得る。送信プロセッサ２２０はまた、（例えば、半静的リソース区分化情報（ＳＲＰＩ：semi-static resource partitioning information）、及び／又は同様のものについての）システム情報と、制御情報（例えば、ＣＱＩ要求、許可、上位レイヤシグナリング、及び／又は同様のもの）とを処理し、オーバヘッドシンボル及び制御シンボルを提供し得る。送信プロセッサ２２０はまた、基準信号（例えば、ＣＲＳ）及び同期信号（例えば、プライマリ同期信号（ＰＳＳ）及びセカンダリ同期信号（ＳＳＳ））のための基準シンボルを生成し得る。送信（ＴＸ）多入力多出力（ＭＩＭＯ）プロセッサ２３０は、適用可能な場合に、データシンボル、制御シンボル、オーバヘッドシンボル、及び／又は基準シンボルに対して空間処理（例えば、プリコーディング）を実行し得、Ｔ個の変調器（ＭＯＤ）２３２ａ〜２３２ｔにＴ個の出力シンボルストリームを提供し得る。各変調器２３２は、出力サンプルストリームを取得するために（例えば、ＯＦＤＭ、及び／又は同様のもののために）それぞれの出力シンボルストリームを処理し得る。各変調器２３２は更に、出力サンプルストリームを処理（例えば、アナログに変換、増幅、フィルタリング、及びアップコンバート）して、ダウンリンク信号を取得し得る。変調器２３２ａ〜２３２ｔからのＴ個のダウンリンク信号は、それぞれＴ個のアンテナ２３４ａ〜２３４ｔを介して送信され得る。以下でより詳細に説明される様々な態様によると、同期信号は、追加の情報を伝達するために、ロケーション符号化を用いて生成され得る。いくつかの態様では、基地局１１０の上記のコンポーネントのうちの１つ又は複数は、本明細書で説明されるように、（例えば、アップリンク通信を送信するＵＥ１２０がサブＰＲＢ粒度でリソースを割り振られ、２トーン変調を使用するとき）受信されたシンボルに関連付けられたトーンのトーンインデックスに少なくとも部分的に基づいて、１トーンアップリンク送信に関連付けられた受信されたシンボルのための位相回転を決定するように構成され得る。
【００４７】
[0061]ＵＥ１２０において、アンテナ２５２ａ〜２５２ｒは、基地局１１０及び／又は他の基地局からダウンリンク信号を受信し得、受信された信号をそれぞれ復調器（ＤＥＭＯＤ）２５４ａ〜２５４ｒに提供し得る。各復調器２５４は、受信された信号を調整（例えば、フィルタリング、増幅、ダウンコンバート、及びデジタル化）して、入力サンプルを取得し得る。各復調器２５４は、（例えば、ＯＦＤＭ、及び／又は同様のもののために）入力サンプルを更に処理して、受信されたシンボルを取得し得る。ＭＩＭＯ検出器２５６は、全てのＲ個の復調器２５４ａ〜２５４ｒから受信されたシンボルを取得し、適用可能な場合、受信されたシンボルに対してＭＩＭＯ検出を実行し、検出されたシンボルを提供し得る。受信（ＲＸ）プロセッサ２５８は、検出されたシンボルを処理（例えば、復調及び復号）し、データシンク２６０にＵＥ１２０のための復号されたデータを提供し、復号された制御情報及びシステム情報をコントローラ／プロセッサ２８０に提供し得る。チャネルプロセッサは、ＲＳＲＰ、ＲＳＳＩ、ＲＳＲＱ、ＣＱＩ、及び／又は同様のものを決定し得る。
【００４８】
[0062]アップリンク上では、ＵＥ１２０において、送信プロセッサ２６４が、データソース２６２からのデータ及びコントローラ／プロセッサ２８０からの（例えば、ＲＳＲＰ、ＲＳＳＩ、ＲＳＲＱ、ＣＱＩ、及び／又は同様のものを備えるレポートのための）制御情報を受信及び処理し得る。送信プロセッサ２６４はまた、１つ又は複数の基準信号のための基準シンボルを生成し得る。送信プロセッサ２６４からのシンボルは、適用可能な場合に、ＴＸ ＭＩＭＯプロセッサ２６６によってプリコーディングされ、（例えば、ＤＦＴ−ｓ−ＯＦＤＭ、ＣＰ−ＯＦＤＭ、及び／又は同様のもののために）変調器２５４ａ〜２５４ｒによって更に処理され、基地局１１０に送信され得る。いくつかの態様では、ＵＥ１２０の上記のコンポーネントのうちの１つ又は複数は、本明細書で説明されるように、ＵＥ１２０がサブＰＲＢ粒度でリソースを割り振られ、２トーン変調を使用するとき、（例えば、１つ又は複数のシーケンスに少なくとも部分的に基づいて）１トーンＤＭＲＳを生成し得、単一のトーン中で１トーンＤＭＲＳを送信し得る。
【００４９】
[0063]基地局１１０において、ＵＥ１２０及び他のＵＥからのアップリンク信号は、アンテナ２３４によって受信され、復調器２３２によって処理され、適用可能な場合に、ＭＩＭＯ検出器２３６によって検出され、受信プロセッサ２３８によって更に処理されて、ＵＥ１２０によって送られた復号されたデータ及び制御情報が取得され得る。受信プロセッサ２３８は、復号されたデータをデータシンク２３９に提供し、復号された制御情報をコントローラ／プロセッサ２４０に提供し得る。基地局１１０は、通信ユニット２４４を含み、通信ユニット２４４を介してネットワークコントローラ１３０に通信し得る。ネットワークコントローラ１３０は、通信ユニット２９４、コントローラ／プロセッサ２９０、及びメモリ２９２を含み得る。
【００５０】
[0064]基地局１１０のコントローラ／プロセッサ２４０、ＵＥ１２０のコントローラ／プロセッサ２８０、及び／又は図２の任意の他のコンポーネント（１つ以上）は、本明細書の他の箇所でより詳細に説明されるように、２トーン変調を用いるサブＰＲＢ割り振りのためのＤＭＲＳ及び位相回転に関連付けられた１つ又は複数の技法を実行し得る。例えば、基地局１１０のコントローラ／プロセッサ２４０、ＵＥ１２０のコントローラ／プロセッサ２８０、及び／又は図２の任意の他のコンポーネント（１つ以上）は、例えば、図６の方法６００、図１０の方法１０００、及び／又は本明細書で説明される他のプロセスの動作を実行又は指示し得る。メモリ２４２及び２８２は、それぞれＢＳ１１０及びＵＥ１２０のためのデータ及びプログラムコードを記憶し得る。スケジューラ２４６は、ダウンリンク及び／又はアップリンク上でのデータ送信のためにＵＥをスケジューリングし得る。
【００５１】
[0065]上記に示されたように、図２は、単に例として提供される。他の例は、図２に関して説明されたものとは異なり得る。
【００５２】
[0066]５Ｇは、新しいエアインターフェース（例えば、直交周波数分割多元接続（ＯＦＤＭＡ）ベースのエアインターフェース以外）又は固定トランスポートレイヤ（例えば、インターネットプロトコル（ＩＰ）以外）に従って動作するように構成された無線を指し得る。態様では、５Ｇは、アップリンク上でＣＰを伴うＯＦＤＭ（本明細書ではサイクリックプレフィックスＯＦＤＭ又はＣＰ−ＯＦＤＭと呼ばれる）及び／又はＳＣ−ＦＤＭを利用し得、ダウンリンク上でＣＰ−ＯＦＤＭを利用し得、ＴＤＤを使用する半複信動作のためのサポートを含み得る。態様では、５Ｇは、例えば、アップリンク上でＣＰを伴うＯＦＤＭ（本明細書ではＣＰ−ＯＦＤＭと呼ばれる）及び／又は離散フーリエ変換拡散直交周波数分割多重化（ＤＦＴ−ｓ−ＯＦＤＭ）を利用し得、ダウンリンク上でＣＰ−ＯＦＤＭを利用し得、ＴＤＤを使用する半複信動作のためのサポートを含み得る。５Ｇは、広帯域幅（例えば、８０メガヘルツ（ＭＨｚ）以上）をターゲットとする拡張モバイルブロードバンド（ｅＭＢＢ）サービス、高キャリア周波数（例えば、６０ギガヘルツ（ＧＨｚ））をターゲットとするミリメートル波（ｍｍＷ）、非後方互換ＭＴＣ技法をターゲットとする大規模ＭＴＣ（ｍＭＴＣ：massive MTC）、及び／又は超高信頼低レイテンシ通信（ＵＲＬＬＣ：ultra reliable low latency communications）サービスをターゲットとするミッションクリティカルを含み得る。
【００５３】
[0067]１００ＭＨＺの単一のコンポーネントキャリア帯域幅がサポートされ得る。５Ｇのリソースブロックは、０．１ｍｓの持続時間にわたって７５キロヘルツ（ｋＨｚ）のサブキャリア帯域幅を有する１２個のサブキャリアにまたがり得る。各無線フレームは、１０ｍｓの長さを有する５０個のサブフレームを含み得る。その結果として、各サブフレームは、０．２ｍｓの長さを有し得る。各サブフレームは、データ送信のためのリンク方向（例えば、ＤＬ又はＵＬ）を示し得、各サブフレームのためのリンク方向は、動的に切り替えられ得る。各サブフレームは、ＤＬ／ＵＬデータ並びにＤＬ／ＵＬ制御データを含み得る。
【００５４】
[0068]ビームフォーミングがサポートされ得、ビーム方向が動的に構成され得る。プリコーディングを伴うＭＩＭＯ送信もまたサポートされ得る。ＤＬにおけるＭＩＭＯ構成は、最大８つのストリーム及びＵＥごとに最大２つのストリームのマルチレイヤＤＬ送信を伴う最大８つの送信アンテナをサポートし得る。ＵＥごとに最大２つのストリームを伴うマルチレイヤ送信がサポートされ得る。複数のセルのアグリゲーションが、最大８つのサービングセルを伴ってサポートされ得る。代替として、５Ｇは、ＯＦＤＭベースのインターフェース以外の異なるエアインターフェースをサポートし得る。５Ｇネットワークは、集中型ユニット又は分散型ユニットなどのエンティティを含み得る。
【００５５】
[0069]ＲＡＮは、集中型ユニット（ＣＵ）及び分散型ユニット（ＤＵ）を含み得る。５Ｇ ＢＳ（例えば、ｇＮＢ、５ＧノードＢ、ノードＢ、送受信ポイント（ＴＲＰ）、アクセスポイント（ＡＰ））は、１つ又は複数のＢＳに対応し得る。５Ｇセルは、アクセスセル（ＡＣｅｌｌ：access cell）又はデータオンリセル（ＤＣｅｌｌ：data only cell）として構成され得る。例えば、ＲＡＮ（例えば、集中型ユニット又は分散型ユニット）は、セルを構成し得る。ＤＣｅｌｌは、キャリアグリゲーション又はデュアルコネクティビティのために使用されるが、初期アクセス、セル選択／再選択、又はハンドオーバのためには使用されないセルであり得る。いくつかの態様では、ＤＣｅｌｌは、同期信号を送信しないことがある。いくつかの態様では、ＤＣｅｌｌは、同期信号を送信し得る。５Ｇ ＢＳは、セルタイプを示すダウンリンク信号をＵＥに送信し得る。セルタイプインジケーションに少なくとも部分的に基づいて、ＵＥは、５Ｇ ＢＳと通信し得る。例えば、ＵＥは、示されたセルタイプに少なくとも部分的に基づいて、セル選択、アクセス、ハンドオーバ、及び／又は測定のために考慮する５Ｇ ＢＳを決定し得る。
【００５６】
[0070]図３は、本開示の態様による、分散型ＲＡＮ３００の実例的な論理アーキテクチャを例示する。５Ｇアクセスノード３０６は、アクセスノードコントローラ（ＡＮＣ）３０２を含み得る。ＡＮＣは、分散型ＲＡＮ３００の集中型ユニット（ＣＵ）であり得る。次世代コアネットワーク（ＮＧ−ＣＮ）３０４へのバックホールインターフェースは、ＡＮＣにおいて終端し得る。近隣の次世代アクセスノード（ＮＧ−ＡＮ）へのバックホールインターフェースは、ＡＮＣにおいて終端し得る。ＡＮＣは、１つ又は複数のＴＲＰ３０８を含み得る（それはまた、ＢＳ、５Ｇ ＢＳ、ノードＢ、５Ｇ ＮＢ、ＡＰ、ｇＮＢ、又は何らかの他の用語で呼ばれ得る）。上述されたように、ＴＲＰは、「セル」と交換可能に使用され得る。
【００５７】
[0071]ＴＲＰ３０８は、分散型ユニット（ＤＵ）であり得る。ＴＲＰは、１つのＡＮＣ（ＡＮＣ３０２）又は１つよりも多くのＡＮＣ（例示せず）に接続され得る。例えば、ＲＡＮ共有、サービスとしての無線（ＲａａＳ：radio as a service）、及びサービス固有ＡＮＤ展開（service specific AND deployments）のために、ＴＲＰは、１つよりも多くのＡＮＣに接続され得る。ＴＲＰは、１つ又は複数のアンテナポートを含み得る。ＴＲＰは、ＵＥにトラフィックを個々に（例えば、動的選択）又は共同で（例えば、共同送信）サービングするように構成され得る。いくつかの態様では、ＴＲＰ３０８は、本明細書で説明されるように、（例えば、アップリンク通信を送信するＵＥがサブＰＲＢ粒度でリソースを割り振られ、２トーン変調を使用するとき）受信されたシンボルに関連付けられたトーンのトーンインデックスに少なくとも部分的に基づいて、ＵＥからの１トーンアップリンク送信に関連付けられた受信されたシンボルのための位相回転を決定し得る。いくつかの態様では、ＵＥは、本明細書で説明されるように、（例えば、ＵＥがサブＰＲＢ粒度でリソースを割り振られ、２トーン変調を使用するとき）１トーンＤＭＲＳを（例えば、１つ又は複数のシーケンスに少なくとも部分的に基づいて）生成し、ＴＲＰ３０８に提供し得る。
【００５８】
[0072]ＲＡＮのローカルアーキテクチャ３００は、フロントホール定義（fronthaul definition）を例示するために使用され得る。アーキテクチャは、異なる展開タイプにわたってフロントホーリングソリューション（fronthauling solutions）をサポートするように定義され得る。例えば、アーキテクチャは、送信ネットワーク能力（例えば、帯域幅、レイテンシ、及び／又はジッタ）に少なくとも部分的に基づき得る。
【００５９】
[0073]アーキテクチャは、ＬＴＥと特徴及び／又はコンポーネントを共有し得る。態様によると、次世代ＡＮ（ＮＧ−ＡＮ）３１０は、ＮＲとのデュアルコネクティビティをサポートし得る。ＮＧ−ＡＮは、ＬＴＥ及びＮＲについて共通のフロントホールを共有し得る。
【００６０】
[0074]アーキテクチャは、ＴＲＰ３０８の間及び中（between and among）での協働を可能にし得る。例えば、協働は、ＡＮＣ３０２を介して複数のＴＲＰにわたって及び／又は１つのＴＲＰ内で予め設定され得る。態様によると、ＴＲＰ間インターフェースは、必要とされない／存在しないことがある。
【００６１】
[0075]態様によると、分けられた論理機能（split logical functions）の動的構成が、ＲＡＮ３００のアーキテクチャ内に存在し得る。ＰＤＣＰ、ＲＬＣ、ＭＡＣプロトコルは、ＡＮＣ又はＴＲＰに適応的に配置され得る。
【００６２】
[0076]様々な態様によると、ＢＳは、１つの集中型ユニット（ＣＵ）（例えば、ＡＮＣ３０２）及び／又は１つ又は複数の分散型ユニット（例えば、１つ又は複数のＴＲＰ３０８）を含み得る。
【００６３】
[0077]上記に示されたように、図３は、単に例として提供される。他の例は、図３に関して説明されたものとは異なり得る。
【００６４】
[0078]図４は、本開示の態様による、分散型ＲＡＮ４００の実例的な物理アーキテクチャを例示する。集中型コアネットワークユニット（Ｃ−ＣＵ：centralized core network unit）４０２は、コアネットワーク機能をホストし得る。Ｃ−ＣＵは、集中的に（centrally）展開され得る。Ｃ−ＣＵの機能は、ピーク容量を処理するために（例えば、アドバンストワイヤレスサービス（ＡＷＳ）に）オフロードされ得る。
【００６５】
[0079]集中型ＲＡＮユニット（Ｃ−ＲＵ）４０４は、１つ又は複数のＡＮＣ機能をホストし得る。オプションとして、Ｃ−ＲＵは、局所的にコアネットワーク機能をホストし得る。Ｃ−ＲＵは、分散型展開を有し得る。Ｃ−ＲＵは、ネットワークエッジにより近くあり得る。
【００６６】
[0080]分散型ユニット（ＤＵ）４０６は、１つ又は複数のＴＲＰをホストし得る。ＤＵ４０６は、無線周波数（ＲＦ）機能を有するネットワークのエッジにロケートされ得る。いくつかの態様では、（１つ又は複数のＴＲＰ３０８をホストする）ＤＵ４０６は、本明細書で説明されるように、（例えば、アップリンク通信を送信するＵＥがサブＰＲＢ粒度でリソースを割り振られ、２トーン変調を使用するとき）受信されたシンボルに関連付けられたトーンのトーンインデックスに少なくとも部分的に基づいて、ＵＥからの１トーンアップリンク送信に関連付けられた受信されたシンボルのための位相回転を決定し得る。いくつかの態様では、ＵＥは、本明細書で説明されるように、（例えば、ＵＥがサブＰＲＢ粒度でリソースを割り振られ、２トーン変調を使用するとき）１トーンＤＭＲＳを（例えば、１つ又は複数のシーケンスに少なくとも部分的に基づいて）生成し、ＤＵ４０６に提供し得る。
【００６７】
[0081]上記に示されたように、図４は、単に例として提供される。他の例は、図４に関して説明されたものとは異なり得る。
【００６８】
[0082]一般に、アップリンク通信（例えば、拡張マシンタイプ通信（ｅＭＴＣ）ＵＥによって送信されるＰＵＳＣＨ通信）のための最小割り振り粒度は、１つの物理リソースブロック（ＰＲＢ）である。しかしながら、そのような最小粒度での割り振りは、（例えば、ＵＥが、例えば、ディープカバレッジシナリオにおいて１つのＰＲＢ割り振りを用いても電力制限されるので）非効率的であり得る。このことから、リソース割り振りの最小粒度を１つのＰＲＢ未満に低減することは、追加のＵＥが周波数分割多重化を使用してＰＲＢ中で多重化されることを可能にすることによって、アップリンクスペクトル効率を改善し得る。１つのＰＲＢ未満の粒度でのリソース割り振りは、本明細書では、サブＰＲＢ粒度でのリソース割り振りと呼ばれる。
【００６９】
[0083]（例えば、ｅＭＴＣ ＵＥのための）サブＰＲＢ粒度でのリソース割り振りをサポートするための１つの技法は、ＳＣ−ＦＤＭＡπ／２  ２位相偏移変調（ＢＰＳＫ）変調を用いる３つのサブキャリア（例えば、３つの隣接するサブキャリア）のリソース割り振りをインプリメントすることであり、ここで、３つのサブキャリアのうちの２つのみが、アップリンク通信を送信するためにＵＥによって使用される。この技法は、比較的低いピーク対平均電力比（ＰＡＰＲ）を提供するという利点を有するが、これは、長さ２のＤＦＴ拡散を用いると、ＵＥに単一のトーン（即ち、単一の割り振られたサブキャリア）を使用して送信させるからである。例えば、ａ及びｂが、ＢＰＳＫ変調されるシンボルであると想定する。ＤＦＴ拡散の後、２つのトーン上のマッピングのためのシンボルは、（ａ＋ｂ）又は（ａ−ｂ）である。ＢＰＳＫの使用により、これらの２つのシンボルのうちの１つは、０である（即ち、１つのトーン上でのみ送信される）。そのようなケースでは、入力ビット（例えば、アップリンクデータのビット）は、以下の表を使用してサブキャリアにマッピングされ得る：
【００７０】
【表１】
2021511725.tif 000003
【００７１】
ここで、ｋ０及びｋ１は、使用されるべき２つの隣接するトーンの第１のトーンインデックス及び第２のトーンインデックスをそれぞれ表す。特に、上記の表は例示を目的として提供され、他のマッピングスキームが使用され得る。
【００７２】
[0084]アップリンクデータのそのような送信に関連付けられた復調基準信号（ＤＭＲＳ）を送信するとき、例えば、ＤＭＲＳに関連付けられたＰＡＰＲをデータ送信に関連付けられたＰＡＰＲに適度に近く保つために、１トーンＤＭＲＳ（即ち、単一のサブキャリアを使用するＤＭＲＳ）が望ましくあり得る。
【００７３】
[0085]本明細書で説明されるいくつかの技法及び装置は、１つ又は複数のシーケンスに少なくとも部分的に基づく１トーンＤＭＲＳの生成を提供する。１トーンＤＭＲＳは、上述されたように、ＵＥがサブＰＲＢ粒度でリソースを割り振られ、２トーン変調を使用するとき、ＵＥによって生成及び送信され得る。
【００７４】
[0086]図５Ａ〜５Ｅは、２トーン変調を用いるサブＰＲＢ割り振りのために１トーンＤＭＲＳを生成する一例５００に関連付けられた図である。
【００７５】
[0087]５０５において、ＵＥ（例えば、ＵＥ１２０）は、ＵＥがアップリンク通信を送信し得るサブＰＲＢ粒度（例えば、３つのサブキャリア）において複数のサブキャリアを識別するリソース割り振りを受信し得る。いくつかの態様では、ＵＥは、上述されたように、アップリンクデータ又は１トーンＤＭＲＳを送信するとき、複数のサブキャリアのうちの少なくとも２つ上で送信するために、（例えば、π／２ＢＰＳＫ変調を使用する）２トーン変調スキームを使用するように構成され得る。いくつかの態様では、ＵＥは、図５Ａに示されるように、基地局（例えば、基地局１１０）からリソース割り振りを受信し得る。例５００を目的として、ＵＥは、（例えば、２トーン変調スキームが、各シンボルの単一のトーン上での送信をもたらすように）上述された方法で送信のためのアップリンクデータを処理する。いくつかの態様では、リソース割り振りは、（例えば、２トーン変調スキームを使用してアップリンク通信を送るとき、ＵＥが１トーンＤＭＲＳを送信する必要があるので）ＵＥが１トーンＤＭＲＳを生成するべきであるというインジケーションの役割を果たし得る。
【００７６】
[0088]５１０において、ＵＥは、１つ又は複数のシーケンスに少なくとも部分的に基づいて１トーンＤＭＲＳを生成し得る。いくつかの態様では、１つ又は複数のシーケンスは、第１のシーケンス及び第２のシーケンスを含み得、ＵＥは、第１のシーケンスと第２のシーケンスとの複合（composite）に少なくとも部分的に基づいて、１トーンＤＭＲＳを生成し得る。そのようなケースでは、第１のシーケンスは、変調シンボル（例えば、ＢＰＳＫシンボル）を選択することに関連付けられ得、第２のシーケンスは、少なくとも２つのトーンのうちの、１トーンＤＭＲＳを送信するために使用されるべきトーン（即ち、サブキャリア）を選択することに関連付けられ得る。いくつかの態様では、第１のシーケンスは、例えば、線形巡回コード、アダマールコード、ゴールドシーケンス、及び／又は同様のものであり得、第２のシーケンスは、例えば、ゴールドシーケンスであり得る。いくつかの態様では、第２のシーケンスは、ＵＥに関連付けられたセルのアイデンティティとは無関係であり得る（例えば、ゴールドシーケンスは、異なるセル間で共通であり得る）。いくつかの態様では、比較的多数のＤＭＲＳシーケンスが、異なるセル間の干渉をランダム化するために線形巡回コードの異なるコードワードを選択することによって生成されることができる。例えば、生成多項式１＋Ｄ2＋Ｄ8＋Ｄ10を有する（１６，６）線形巡回コードが使用されることができ、３０個のコードワードが、各々が長さ１６を有する３０個のＤＭＲＳシーケンスを生成するために選択されることができる。いくつかの態様では、コードワードの選択は、セル間干渉の影響を最小化するために、シーケンス間の低い相互相関を提供することができる。
【００７７】
[0089]加えて又は代替として、第１のシーケンスは、Ｎ個の複素直交シーケンスのうちの１つであり得、第２のシーケンスは、２つのバイナリ直交シーケンスのうちの１つであり得る（ここで、Ｎは、１トーンＤＭＲＳに関連付けられたシンボルの数である）。例えば、いくつかの態様では、第１のシーケンスは、アダマールコードであり得、（例えば、
【００７８】
【数１】
2021511725.tif 000004
【００７９】
によって定義され、ここで、ｗ（ｎ ）は、長さ１６を有するアダマールコードである）、第２のシーケンスは、バイナリシーケンス（例えば、１０１０１０．．．又は０１０１０１．．．）であり得る。いくつかの態様では、バイナリ直交シーケンスは、１トーンＤＭＲＳを送信するためのトーンを決定するために使用され得る。例えば、値「０」は、２つの使用されるトーンのうちの特定のトーン上での送信を示し得、値「１」は、２つの使用されるトーンのうちのもう一方のトーン上での送信を示し得る。図５Ｂ及び図５Ｃは、それぞれ、バイナリシーケンス１０１０１０．．．及び０１０１０１．．．に少なくとも部分的に基づくトーンマッピングの例を示す。
【００８０】
[0090]いくつかの態様では、１つ又は複数のシーケンスが第１のシーケンス及び第２のシーケンスを含むとき、（例えば、１トーンＤＭＲＳシンボルがアップリンクデータに関連付けられたシンボルとは異なる方法で処理されるように）ＢＰＳＫ変調又はＤＦＴ拡散を実行することなしに、１トーンＤＭＲＳのシンボルのマッピングが実行され得る。
【００８１】
[0091]いくつかの態様では、１つ又は複数のシーケンスが第１のシーケンス及び第２のシーケンスを含むとき、（例えば、１トーンＤＭＲＳシンボルがアップリンクデータに関連付けられたシンボルと同様の方法で処理されるように）第１のシーケンス及び第２のシーケンスに関連付けられたＢＰＳＫ変調及びＤＦＴ拡散を実行することに少なくとも部分的に基づいて、１トーンＤＭＲＳシンボルが処理され得る。図５Ｄは、実例的な第１のシーケンス（例えば、長さＮを有する線形巡回コード）及び実例的な第２のシーケンス（例えば、長さＮを有するバイナリゴールドシーケンス）に関連付けられたＢＰＳＫ変調及びＤＦＴ拡散を実行することに少なくとも部分的に基づいて、１トーンＤＭＲＳシンボルを処理するための実例的なステップを例示する図である。図５Ｄに示されるように、いくつかの態様では、ＢＰＳＫ変調及びＤＦＴ拡散は、第２のシーケンス中の１つ又は複数のビットをスワップすることに少なくとも部分的に基づいて（第１のシーケンス中の１つ又は複数の対応する値に少なくとも部分的に基づいて）、及び第１のシーケンスと第２のシーケンスとを多重化することに少なくとも部分的に基づいて実行されることができる。示されるように、ＢＰＳＫ変調及びＤＦＴ拡散は、スワッピング及び多重化の後に（例えば、アップリンクデータシンボルを処理することに関連付けられたものと同じ変調及びＤＦＴ拡散を使用して）実行され得る。いくつかの態様では、１トーンＤＭＲＳシンボルをマッピングするためのトーンインデックスが（例えば、上記で提供されたデータマッピング表に従って）２つの入力ビットの値に少なくとも部分的に基づいて決定されるので、スワッピング動作が必要とされ得る。いくつかの態様では、シンボルマッピングは、図５Ｄに示されるように、ＢＰＳＫ変調及びＤＦＴ拡散の後に実行され得る。
【００８２】
[0092]いくつかの態様では、１つ又は複数のシーケンスは、単一のバイナリシーケンスを含み得、１トーンＤＭＲＳは、単一のバイナリシーケンス上でＢＰＳＫ変調及びＤＦＴ拡散を実行することに少なくとも部分的に基づいて生成され得る。いくつかの態様では、単一のバイナリシーケンスは、例えば、長さ２Ｎを有するゴールドシーケンスを含み得、ここで、Ｎは、１トーンＤＭＲＳに関連付けられたシンボルの数である。特定の例として、長さ１６を有するゴールドシーケンス「１０１１１０１００１１０１１１０」は、１０、１１、１０、１０、０１、１０、１１、及び１０の値ペアを備える。ここで、１０及び１１のペアが、
【００８３】
【数２】
2021511725.tif 000005
【００８４】
にマッピングされ、００及び０１のペアが、
【００８５】
【数３】
2021511725.tif 000006
【００８６】
にマッピングされる場合（例えば、上記で提供された実例的なマッピング表を使用して）、８つのＢＰＳＫ変調されるシンボル「ｂｂｂｂａｂｂｂ」が、このシーケンスに基づいて生成される。ここで、値００又は１１に関連付けられたシンボルがトーンインデックスｋ０にマッピングされ、値０１又は１０に関連付けられたシンボルがトーンインデックスｋ１を有するトーンにマッピングされる場合、第２及び第７のＤＭＲＳシンボル（例えば、両方とも１１の値に関連付けられる）は、トーンインデックスｋ０を有する第１のトーンにマッピングされることができ、他の６つのＤＭＲＳシンボルは、（例えば、他のシンボルが、１０及び０１の値に関連付けられるので）トーンインデックスｋ１を有する第２のトーンにマッピングされることができる。図５Ｅは、実例的な単一のバイナリシーケンス（例えば、長さ２Ｎを有するバイナリゴールドシーケンス）に関連付けられたＢＰＳＫ変調及びＤＦＴ拡散を実行することに少なくとも部分的に基づいて、１トーンＤＭＲＳシンボルを処理するための実例的なステップを例示する図である。図５Ｅに示されるように、いくつかの態様では、シンボルマッピングが実行された後、ＢＰＳＫ変調及びＤＦＴ拡散が、単一のバイナリシーケンスに対して実行されることができる。
【００８７】
[0093]５１５において、ＵＥは、１トーンＤＭＲＳを送信し得る。例えば、ＵＥは、（例えば、１トーンＤＭＲＳを生成することに少なくとも部分的に基づいて識別されたトーンを使用して）上述されたように１トーンＤＭＲＳを生成することに少なくとも部分的に基づいて１トーンＤＭＲＳを送信し得る。
【００８８】
[0094]上記に示されたように、図５Ａ〜５Ｅは、例として提供される。他の例は、図５Ａ〜５Ｅに関して説明されたものとは異なり得る。
【００８９】
[0095]図６は、ワイヤレス通信の方法６００のフローチャートである。方法は、ユーザ機器（例えば、図１のＵＥ１２０、装置７０２／７０２’、及び／又は同様のもの）によって実行され得る。
【００９０】
[0096]６１０において、ＵＥは、１トーンＤＭＲＳを生成するためのインジケーションを受信し得る。例えば、ＵＥは、上述されたように、１トーンＤＭＲＳを生成するためのインジケーションとしての役割を果たすリソース割り振りを（例えば、アンテナ２５２、ＤＥＭＯＤ２５４、ＭＩＭＯ検出器２５６、受信プロセッサ２５８、コントローラ／プロセッサ２８０、及び／又は同様のものを使用して）受信し得る。いくつかの態様では、ＵＥは、上述されたように、サブＰＲＢ粒度でのリソース割り振り及び２トーン変調スキームに少なくとも部分的に基づいて、１トーンＤＭＲＳを送信し得る。
【００９１】
[0097]６２０において、ＵＥは、１つ又は複数のシーケンスに少なくとも部分的に基づいて１トーンＤＭＲＳを生成し得る。例えば、ＵＥは、上述されたように、１つ又は複数のシーケンスに少なくとも部分的に基づいて１トーンＤＭＲＳを（例えば、送信プロセッサ２６４、ＴＸ ＭＩＭＯプロセッサ２６６、コントローラ／プロセッサ２８０、及び／又は同様のものを使用して）生成し得る。
【００９２】
[0098]６３０において、ＵＥは、１トーンＤＭＲＳを送信し得る。例えば、ＵＥは、上述されたように、１トーンＤＭＲＳを（例えば、アンテナ２５２、変調器２５３、ＴＸ ＭＩＭＯプロセッサ２６６、送信プロセッサ２６４、コントローラ／プロセッサ２８０、及び／又は同様のものを使用して）送信し得る。いくつかの態様では、ＵＥは、上述されたように、リソース割り振りに関連付けられた単一のトーンを使用して１トーンＤＭＲＳを送信し得る。
【００９３】
[0099]方法６００は、以下に説明される、及び／又は本明細書の他の箇所で説明される１つ又は複数の他の方法若しくはプロセスに関連する、任意の単一の態様又は態様の任意の組み合わせなどの追加の態様を含み得る。
【００９４】
[00100]いくつかの態様では、２トーン変調スキームは、π／２ＢＰＳＫ変調を使用する。
【００９５】
[00101]いくつかの態様では、単一のトーンは、リソース割り振りに関連付けられた３つのトーンのうちの１つである。
【００９６】
[00102]いくつかの態様では、１つ又は複数のシーケンスは、第１のシーケンス及び第２のシーケンスを含む。
【００９７】
[00103]いくつかの態様では、１トーン復調基準信号は、第１のシーケンスと第２のシーケンスとの複合に少なくとも部分的に基づいて生成される。
【００９８】
[00104]いくつかの態様では、第１のシーケンスは、変調シンボルを選択することに関連付けられ、第２のシーケンスは、１トーン復調基準信号を送信するために使用される単一のトーンを選択することに関連付けられる。
【００９９】
[00105]いくつかの態様では、第１のシーケンスは、線形巡回コード、アダマールコード、又はゴールドシーケンスであり、第２のシーケンスは、ゴールドシーケンスである。
【０１００】
[00106]いくつかの態様では、第２のシーケンスは、ＵＥに関連付けられたセルのアイデンティティとは無関係である。
【０１０１】
[00107]いくつかの態様では、第１のシーケンスは、Ｎ個の複素直交シーケンスのうちの１つであり、第２のシーケンスは、２つのバイナリ直交シーケンスのうちの１つであり、ここにおいて、Ｎは、１トーン復調基準信号に関連付けられたシンボルの数である。
【０１０２】
[00108]いくつかの態様では、第１のシーケンスは、アダマールコードであり、第２のシーケンスは、バイナリシーケンスである。
【０１０３】
[00109]いくつかの態様では、１トーン復調基準信号は、第１のシーケンス及び第２のシーケンスに関連付けられたＢＰＳＫ変調及びＤＦＴ拡散を実行することに少なくとも部分的に基づいて生成される。
【０１０４】
[00110]いくつかの態様では、ＢＰＳＫ変調及びＤＦＴ拡散は、第１のシーケンスと第２のシーケンスとの多重化に少なくとも部分的に基づいて実行される。
【０１０５】
[00111]いくつかの態様では、ＢＰＳＫ変調及びＤＦＴ拡散は、第１のシーケンス中の１つ又は複数の対応する値に少なくとも部分的に基づいて、第２のシーケンス中の１つ又は複数のビットをスワップすることに少なくとも部分的に基づいて実行される。
【０１０６】
[00112]いくつかの態様では、１つ又は複数のシーケンスは、単一のバイナリシーケンス含む。
【０１０７】
[00113]いくつかの態様では、単一のバイナリシーケンスは、長さ２Ｎを有するゴールドシーケンスであり、ここにおいて、Ｎは、１トーン復調基準信号に関連付けられたシンボルの数である。
【０１０８】
[00114]いくつかの態様では、１トーン復調基準信号は、単一のバイナリシーケンスに関連付けられたＢＰＳＫ変調及びＤＦＴ拡散を実行することに少なくとも部分的に基づいて生成される。
【０１０９】
[00115]図６は、ワイヤレス通信の方法の実例的なブロックを示すが、いくつかの態様では、本方法は、図６に示されたものと比べて、追加のブロック、より少ないブロック、異なるブロック、又は異なるように配置されたブロックを含み得る。加えて又は代替として、図６に示される２つ以上のブロックが並列に実行され得る。
【０１１０】
[00116]図７は、実例的な装置７０２中の異なるモジュール／手段／コンポーネント間のデータフローを例示する概念的なデータフロー図７００である。装置７０２は、ＵＥであり得る。いくつかの態様では、装置７０２は、受信モジュール７０４、生成モジュール７０６、及び／又は送信モジュール７０８を含む。
【０１１１】
[00117]受信モジュール７０４は、基地局７５０から、データ７１０として、１トーンＤＭＲＳを生成するためのインジケーションを受信し得る。例えば、サブＰＲＢ粒度でのリソース割り振りは、上述されたように、ＵＥが２トーン変調スキームを使用してアップリンクデータを送信するように構成されるとき、ＵＥが１トーンＤＭＲＳを生成するべきであるというインジケーションとしての役割を果たし得る。
【０１１２】
[00118]生成モジュール７０６は、受信モジュール７０４から、データ７１２として、１トーンＤＭＲＳを生成することに関連付けられた情報（例えば、１トーンＤＭＲＳを生成するためのインジケーション）を受信し得る。いくつかの態様では、生成モジュール７０６は、１トーンＤＭＲＳを生成し得る。例えば、生成モジュール７０６は、上述されたように、１つ又は複数のシーケンスに少なくとも部分的に基づいて１トーンＤＭＲＳを生成し得る。
【０１１３】
[00119]送信モジュール７０８は、生成モジュール７０６から、データ７１４として、基地局７５０に１トーンＤＭＲＳを送信することに関連付けられた情報を受信し得る。いくつかの態様では、送信モジュール７０８は、データ７１６として基地局７５０に１トーンＤＭＲＳを送信し得る。例えば、送信モジュール７０８は、上述されたように、基地局７５０に１トーンＤＭＲＳを送信し得る。
【０１１４】
[00120]装置は、図６の前述された方法６００及び／又は同様のものにおけるアルゴリズムのブロックの各々を実行する追加のモジュールを含み得る。そのため、前述された図６の方法６００及び／又は同様のものにおける各ブロックは、モジュールによって実行され得、装置は、それらのモジュールのうちの１つ又は複数を含み得る。モジュールは、記載されたプロセス／アルゴリズムを実行するように特に構成された１つ又は複数のハードウェアコンポーネントであり得るか、記載されたプロセス／アルゴリズムを実行するように構成されたプロセッサによってインプリメントされ得るか、プロセッサによるインプリメンテーションのためにコンピュータ可読媒体内に記憶され得るか、又はそれらの何らかの組み合わせであり得る。
【０１１５】
[00121]図７に示されるモジュールの数及び配置は、例として提供される。実際には、図７に示されるものと比べて、追加のモジュール、より少ないモジュール、異なるモジュール、又は異なるように配置されたモジュールがあり得る。更に、図７に示される２つ以上のモジュールは、単一のモジュール内にインプリメントされ得るか、又は図７に示される単一のモジュールは、複数の分散型モジュールとしてインプリメントされ得る。加えて又は代替として、図７に示されるモジュールのセット（例えば、１つ又は複数のモジュール）は、図７に示されるモジュールの別のセットによって実行されるものとして説明される１つ又は複数の機能を実行し得る。
【０１１６】
[00122]図８は、処理システム８０２を用いる装置７０２’のためのハードウェアインプリメンテーションの一例を例示する図８００である。装置７０２’は、ＵＥであり得る。
【０１１７】
[00123]処理システム８０２は、一般にバス８０４によって表されるバスアーキテクチャを用いてインプリメントされ得る。バス８０４は、処理システム８０２の特定のアプリケーション及び全体的な設計制約に応じて、任意の数の相互接続バス及びブリッジを含み得る。バス８０４は、プロセッサ８０６、モジュール７０４、７０６、７０８、及びコンピュータ可読媒体／メモリ８０８によって表された、１つ又は複数のプロセッサ及び／又はハードウェアモジュールを含む様々な回路を共にリンクさせる。バス８０４はまた、タイミングソース、周辺機器、電圧レギュレータ、及び電力管理回路などの様々な他の回路をリンクし得るが、それらは、当該技術において良く知られており、従って、これ以上は説明されない。
【０１１８】
[00124]処理システム８０２は、トランシーバ８１０に結合され得る。トランシーバ８１０は、１つ又は複数のアンテナ８１２に結合される。トランシーバ８１０は、送信媒体を通して様々な他の装置と通信するための手段を提供する。トランシーバ８１０は、１つ又は複数のアンテナ８１２から信号を受信し、受信された信号から情報を抽出し、抽出された情報を処理システム８０２、具体的には受信モジュール７０４に提供する。加えて、トランシーバ８１０は、処理システム８０２、具体的には送信モジュール７０８から情報を受信し、受信された情報に少なくとも部分的に基づいて、１つ又は複数のアンテナ８１２に適用されることになる信号を生成する。処理システム８０２は、コンピュータ可読媒体／メモリ８０８に結合されたプロセッサ８０６を含む。プロセッサ８０６は、コンピュータ可読媒体／メモリ８０８上に記憶されたソフトウェアの実行を含む一般の処理を担う。ソフトウェアは、プロセッサ８０６によって実行されると、処理システム８０２に、任意の特定の装置について上述された様々な機能を実行させる。コンピュータ可読媒体／メモリ８０８はまた、ソフトウェアを実行するときにプロセッサ８０６によって操作されるデータを記憶するために使用され得る。処理システムは更に、モジュール７０４、７０６及び７０８のうちの少なくとも１つを含む。モジュールは、プロセッサ８０６中で実行中であり、コンピュータ可読媒体／メモリ８０８中に存在する／記憶されたソフトウェアモジュール、プロセッサ８０６に結合された１つ又は複数のハードウェアモジュール、又はそれらの何らかの組み合わせであり得る。処理システム８０２は、ＵＥ１２０のコンポーネントであり得、メモリ２８２及び／又はＴＸ ＭＩＭＯプロセッサ２６６、ＲＸプロセッサ２５８、及び／又はコントローラ／プロセッサ２８０のうちの少なくとも１つを含み得る。
【０１１９】
[00125]いくつかの態様では、ワイヤレス通信のための装置７０２／７０２’は、１つ又は複数のシーケンスに少なくとも部分的に基づいて１トーン復調基準信号を生成するための手段、ここにおいて、装置７０２／７０２’は、サブ物理リソースブロック粒度でのリソース割り振りと２トーン変調スキームとに少なくとも部分的に基づいて１トーンＤＭＲＳを送信するべきである、  リソース割り振りに関連付けられた単一のトーンを使用して１トーン復調基準信号を送信するための手段、  及び／又は同様のものを含む。前述された手段は、前述された手段によって記載された機能を実行するように構成された装置７０２’の処理システム８０２及び／又は装置７０２の前述されたモジュールのうちの１つ又は複数であり得る。上述されたように、処理システム８０２は、ＴＸ ＭＩＭＯプロセッサ２６６、ＲＸプロセッサ２５８、及び／又はコントローラ／プロセッサ２８０を含み得る。一構成では、前述された手段は、前述された手段によって記載された機能を実行するように構成されたＴＸ ＭＩＭＯプロセッサ２６６、ＲＸプロセッサ２５８、及び／又はコントローラ／プロセッサ２８０であり得る。
【０１２０】
[00126]図８は、一例として提供される。他の例は、図８に関連して説明されたものとは異なり得る。
【０１２１】
[00127]１トーンアップリンク通信に関連付けられたシンボル（例えば、１トーンＤＭＲＳに関連付けられたシンボル、２変調スキームに少なくとも部分的に基づいて１トーン中で送信されるアップリンクデータに関連付けられたシンボル）を受信するとき、受信機（例えば、基地局）は、前のシンボルの終了と次のシンボルの開始との間の（例えば、サイクリックプレフィックス（ＣＰ）の存在によって引き起こされる）位相跳躍を補償する必要があり得る。例えば、基地局は、シンボルの所与のペア間の位相跳躍が（例えば、π／２ＢＰＳＫ変調を使用するとき）ほぼ±π／２に等しくなるように、シンボル間の位相跳躍を補償する必要があり得る。特に、位相回転は、各シンボルにわたって連続的に適用され、所与のシンボルにおける位相回転は、全ての前のシンボルの位相回転に依存する。言い換えれば、位相回転は、シンボルにわたって累積される。
【０１２２】
[00128]ＳＣ−ＦＤＭＡπ／２ＢＰＳＫを使用する２トーン変調の場合、所与のシンボルのトーンインデックスは、（例えば、所与のシンボルのために使用されるサブキャリアが、次のシンボルのために使用されるサブキャリアとは異なる可能性があるので）前のシンボルのトーンインデックスとは異なる可能性がある。ここで、１トーン通信のために実際に使用されるトーンのトーンインデックスに少なくとも部分的に基づいて決定された位相回転は、位相連続性が維持されることを可能にし得るが、これは、基地局が追跡するには実現不可能及び／又は望ましくないことがある。例えば、所与のシンボルのための位相回転は、全ての前のシンボルのための位相回転に依存するので、受信機は、Ｎ個のシンボルについて２N個の仮説を仮定する必要があり、それによって、（例えば、トレリス復号器が基地局上で構成されることを必要とすることによって）基地局における複雑さが増大する。
【０１２３】
[00129]本明細書で説明されるいくつかの技法及び装置は、トーンインデックスに少なくとも部分的に基づく、１トーンアップリンク通信に関連付けられたシンボルのための位相回転の決定を提供する。位相回転は、上述されたように、アップリンク通信がサブＰＲＢ粒度で割り振られたリソースを使用し、２トーン変調を使用するとき、ワイヤレス通信デバイス（例えば、基地局、ＵＥ）によって決定及び適用され得る。
【０１２４】
[00130]図９は、２トーン変調を使用するサブＰＲＢ割り振りに関連付けられたアップリンク通信のシンボルのための位相回転を決定する一例９００を例示する図である。
【０１２５】
[00131]９０５において、ＵＥ（例えば、ＵＥ１２０）は、２トーン変調を使用するサブＰＲＢリソース割り振り（例えば、３つのサブキャリア）に少なくとも部分的に基づいて送信されるべきアップリンク通信に関連付けられたシンボルのための位相回転を決定し得る。いくつかの態様では、ＵＥは、基地局（例えば、基地局１１０）による位相回転の決定に関して以下に説明されるのと同様の方法で位相回転を決定し得る。例えば、いくつかの態様では、ＵＥは、以下に説明されるように、サブＰＲＢリソース割り振りに関連付けられたトーンインデックスに少なくとも部分的に基づいて、位相回転を決定し得る。示されるように、ＵＥは、シンボルに位相回転を適用し得、シンボルに関連付けられた更なる処理（例えば、変調、符号化、及び／又は同様のもの）を実行し得、その後、ＵＥは、シンボルを送信し得る。
【０１２６】
[00132]９１０において、基地局は、ＵＥから、サブＰＲＢリソース割り振りに関連付けられた単一のトーン中でシンボルを受信し得る。例えば、基地局は、上述されたように、ＵＥがサブＰＲＢ割り振りに従ってアップリンク通信を送信するために（例えば、π／２ＢＰＳＫ変調を使用する）２トーン変調スキームを使用するとき、単一のトーン中でＵＥによって送信された（例えば、１トーンＤＭＲＳに関連付けられた、アップリンクデータに関連付けられた）シンボルを受信し得る。
【０１２７】
[00133]９１５において、基地局は、アップリンク通信に関連付けられたシンボルのための位相回転を決定し得る。いくつかの態様では、基地局は、シンボルに関連付けられたトーンのトーンインデックスに少なくとも部分的に基づいて位相回転を決定し得る。いくつかの態様では、基地局は、リソース割り振りに関連付けられた基準トーンインデックスに少なくとも部分的に基づいて、位相回転を決定し得る。そのようなケースでは、基準トーンインデックスは、複数のシンボルについて同じであり得る（例えば、基準トーンは、アップリンク通信に関連付けられた各シンボルについて同じであり得る）。
【０１２８】
[00134]いくつかの態様では、基準トーンインデックスは、リソース割り振りに関連付けられたトーンのうちの１つのトーンインデックスと一致し得る。例えば、ＵＥが３つの隣接するサブキャリアを割り振られるケースでは、基準トーンインデックスは、３つのトーンのうちの１つに対応するトーンインデックスであり得る。そのようなケースでは、基準トーンインデックスは、シンボルが受信されたトーンに関連付けられることも、関連付けられないこともある。
【０１２９】
[00135]いくつかの態様では、基準トーンインデックスは、リソース割り振りに関連付けられた少なくとも２つのトーンに少なくとも部分的に基づき得る。例えば、ＵＥが３つの隣接するサブキャリアを割り振られるケースでは、基準トーンインデックスは、リソース割り振りに関連付けられたトーンのうちの２つの間の中間点に対応するトーンインデックスであり得る。特定の例として、トーンインデックスｋ１を有するトーン及びトーンインデックスｋ１＋１を有するトーンが、２トーン変調スキームに少なくとも部分的に基づいて送信することに関連して使用される場合、基準トーンインデックスは、ｋ１＋１／２（即ち、ｋ１とｋ１＋１との間の中間のトーンに関連付けられたトーンインデックス）であり得る。
【０１３０】
[00136]いくつかの態様では、（受信されたシンボルのための位相回転を識別する）位相回転累積項（cumulative term）（φk（ｌ））は、以下の式に少なくとも部分的に基づいて決定され得る：
【０１３１】
【数４】
2021511725.tif 000007
【０１３２】
[00137]示されたように、位相回転の第１の部分は、実際のトーンインデックスｋ（例えば、シンボルが受信されるトーンに関連付けられたトーンインデックス）に少なくとも部分的に基づいて決定され得、位相回転の第２の部分は、基準トーンインデックス（上記の式においてｋｒｅｆとして表される）に少なくとも部分的に基づいて決定され得る。このように、各シンボルにおける位相回転は、基地局に知られ得、受信された信号から補償されることができる。特に、２つの連続するシンボル間の位相跳躍は、厳密に±π／２に維持されないことがある。例えば、同じトーンｋが２つの連続するシンボルのために選択される場合、位相跳躍は、ｋ１＋１／２の基準トーンインデックスに少なくとも部分的に基づいて位相回転を適用するとき、２π×０．５×ＮCP／Ｎ±π／２になる。
【０１３３】
[00138]いくつかの態様では、位相回転は、シンボルが受信されるトーンに関連付けられたトーンインデックスに基づいて決定され得る。そのようなケースでは、位相回転は、（例えば、サブフレームの開始時、スロットの開始時、及び／又は同様のときに）周期的にリセットされ得る。
【０１３４】
[00139]９２０において、基地局は、シンボルに位相回転を適用し得る。例えば、基地局は、シンボルに位相回転を適用し得、シンボルに関連付けられた更なる処理（例えば、復調、復号、及び／又は同様のもの）を実行し得る。
【０１３５】
[00140]上記に示されたように、図９は、一例として提供される。他の例は、図９に関して説明されたものとは異なり得る。
【０１３６】
[00141]図１０は、ワイヤレス通信の方法１０００のフローチャートである。方法は、基地局（例えば、図１のＢＳ１１０、装置１１０２／１１０２’、及び／又は同様のもの）によって実行され得る。
【０１３７】
[00142]１０１０において、基地局は、サブＰＲＢリソース割り振りに関連付けられた単一のトーン中でシンボルを受信し得る。例えば、基地局は、上述されたように、サブＰＲＢリソース割り振りにおけるアップリンク通信に関連付けられた単一のトーン中でシンボルを（例えば、アンテナ２３４、ＤＥＭＯＤ２３２、ＭＩＭＯ検出器２３６、受信プロセッサ２３８、コントローラ／プロセッサ２４０、及び／又は同様のものを使用して）受信し得る。いくつかの態様では、ＵＥは、上述されたように、アップリンク通信を送信するために２トーン変調スキームを使用し、サブＰＲＢ粒度でのリソース割り振りに関連付けられる。
【０１３８】
[00143]１０２０において、基地局は、シンボルのための位相回転を決定し得る。例えば、基地局は、上述されたように、シンボルのための位相回転を（例えば、ＤＥＭＯＤ２３２、ＭＩＭＯ検出器２３６、受信プロセッサ２３８、コントローラ／プロセッサ２４０、及び／又は同様のものを使用して）決定し得る。いくつかの態様では、位相回転は、上述されたように、リソース割り振りに関連付けられたトーンインデックスに少なくとも部分的に基づいて決定される。
【０１３９】
[00144]１０３０において、基地局は、シンボルに位相回転を適用し得る。例えば、基地局は、上述されたように、シンボルに位相回転を（例えば、ＤＥＭＯＤ２３２、ＭＩＭＯ検出器２３６、受信プロセッサ２３８、コントローラ／プロセッサ２４０、及び／又は同様のものを使用して）適用し得る。
【０１４０】
[00145]方法１０００は、以下に説明される、及び／又は本明細書の他の箇所で説明される１つ又は複数の他の方法若しくはプロセスに関連する、任意の単一の態様又は態様の任意の組み合わせなどの追加の態様を含み得る。
【０１４１】
[00146]いくつかの態様では、２トーン変調スキームは、π／２ＢＰＳＫ変調を使用する。
【０１４２】
[00147]いくつかの態様では、トーンインデックスは、基準トーンインデックスであり、リソース割り振りに関連付けられ、基準トーンインデックスは、複数のシンボルについて同じである。
【０１４３】
[00148]いくつかの態様では、基準トーンインデックスは、リソース割り振りに関連付けられた３つのトーンのうちの１つのトーンインデックスと一致する。
【０１４４】
[00149]いくつかの態様では、基準トーンインデックスは、リソース割り振りに関連付けられた２つのトーンに少なくとも部分的に基づく。
【０１４５】
[00150]いくつかの態様では、基準トーンインデックスは、リソース割り振りに関連付けられた２つのトーン間の中間点に少なくとも部分的に基づく。
【０１４６】
[00151]いくつかの態様では、トーンインデックスは、シンボルが受信されるトーンのトーンインデックスである。
【０１４７】
[00152]いくつかの態様では、位相回転は、サブフレームの開始時又はスロットの開始時にリセットされる。
【０１４８】
[00153]図１０は、ワイヤレス通信の方法の実例的なブロックを示すが、いくつかの態様では、本方法は、図１０に示されたものと比べて、追加のブロック、より少ないブロック、異なるブロック、又は異なるように配置されたブロックを含み得る。加えて又は代替として、図１０に示される２つ以上のブロックが並列に実行され得る。
【０１４９】
[00154]図１１は、実例的な装置１１０２中の異なるモジュール／手段／コンポーネント間のデータフローを例示する概念的なデータフロー図１１００である。装置１１０２は、基地局であり得る。いくつかの態様では、装置１１０２は、受信モジュール１１０４、決定モジュール１１０６、及び／又は適用モジュール１１０８を含む。
【０１５０】
[00155]受信モジュール１１０４は、単一のトーン中で、ＵＥ１１５０から、データ１１１０として、アップリンク通信に関連付けられたシンボルを受信し得る。例えば、基地局は、上述されたように、アップリンク通信を送信するＵＥが２トーン変調スキームを使用して１トーンＤＭＲＳ及びアップリンクデータを送信するように構成されるとき、サブＰＲＢ粒度でのリソース割り振りに少なくとも部分的に基づいて送信されたアップリンク通信に関連付けられたシンボルを単一のトーン中で受信し得る。
【０１５１】
[00156]決定モジュール１１０６は、受信モジュール１１０４から、データ１１１２として、受信されたシンボルのための位相回転を決定することに関連付けられた情報を受信し得る。いくつかの態様では、決定モジュール１１０６は、位相回転を決定し得る。例えば、決定モジュール１１０６は、上述されたように、受信されたシンボルに関連付けられたトーンのトーンインデックスに少なくとも部分的に基づいて、受信されたシンボルに関連付けられた位相回転を決定し得る。
【０１５２】
[00157]適用モジュール１１０８は、決定モジュール１１０６から、データ１１１４として、受信されたシンボルに位相回転を適用することに関連付けられた情報を受信し得る。いくつかの態様では、適用モジュール１１０８は、受信されたシンボルに位相回転を適用し得る。例えば、適用モジュール１１０８は、上述されたように、シンボルに関連付けられた更なる処理（例えば、復調、復号、及び／又は同様のもの）が実行されることができるように、受信されたシンボルに位相回転を適用し得る。
【０１５３】
[00158]装置は、図１０の前述された方法１０００及び／又は同様のものにおけるアルゴリズムのブロックの各々を実行する追加のモジュールを含み得る。前述された図１０の方法１０００及び／又は同様のものにおける各ブロックは、モジュールによって実行され得、装置は、それらのモジュールのうちの１つ又は複数を含み得る。モジュールは、記載されたプロセス／アルゴリズムを実行するように特に構成された１つ又は複数のハードウェアコンポーネントであり得るか、記載されたプロセス／アルゴリズムを実行するように構成されたプロセッサによってインプリメントされ得るか、プロセッサによるインプリメンテーションのためにコンピュータ可読媒体内に記憶され得るか、又はそれらの何らかの組み合わせであり得る。
【０１５４】
[00159]図１１に示されるモジュールの数及び配置は、例として提供される。実際には、図１１に示されるものと比べて、追加のモジュール、より少ないモジュール、異なるモジュール、又は異なるように配置されたモジュールがあり得る。更に、図１１に示される２つ以上のモジュールは、単一のモジュール内にインプリメントされ得るか、又は図１１に示される単一のモジュールは、複数の分散型モジュールとしてインプリメントされ得る。加えて又は代替として、図１１に示されるモジュールのセット（例えば、１つ又は複数のモジュール）は、図１１に示されるモジュールの別のセットによって実行されるものとして説明される１つ又は複数の機能を実行し得る。
【０１５５】
[00160]図１２は、処理システム１２０２を用いる装置１１０２’のためのハードウェアインプリメンテーションの一例１２００を例示する図である。装置１１０２’は、基地局であり得る。
【０１５６】
[00161]処理システム１２０２は、一般にバス１２０４よって表されるバスアーキテクチャを用いてインプリメントされ得る。バス１２０４は、処理システム１２０２の特定のアプリケーション及び全体的な設計制約に応じて、任意の数の相互接続バス及びブリッジを含み得る。バス１２０４は、プロセッサ１２０６、モジュール１１０４、１１０６、１１０８、及びコンピュータ可読媒体／メモリ１２０８によって表された、１つ又は複数のプロセッサ及び／又はハードウェアモジュールを含む様々な回路を共にリンクさせる。バス１２０４はまた、タイミングソース、周辺機器、電圧レギュレータ、及び電力管理回路などの様々な他の回路をリンクし得るが、それらは、当該技術において良く知られており、従って、これ以上は説明されない。
【０１５７】
[00162]処理システム１２０２は、トランシーバ１２１０に結合され得る。トランシーバ１２１０は、１つ又は複数のアンテナ１２１２に結合される。トランシーバ１２１０は、送信媒体を通して様々な他の装置と通信するための手段を提供する。トランシーバ１２１０は、１つ又は複数のアンテナ１２１２から信号を受信し、受信された信号から情報を抽出し、抽出された情報を処理システム１２０２、具体的には受信モジュール１１０４に提供する。加えて、トランシーバ１２１０は、処理システム１２０２、具体的には送信モジュール（図示せず）から情報を受信し、受信された情報に基づいて、１つ又は複数のアンテナ１２１２に適用されることになる信号を生成する。処理システム１２０２は、コンピュータ可読媒体／メモリ１２０８に結合されたプロセッサ１２０６を含む。プロセッサ１２０６は、コンピュータ可読媒体／メモリ１２０８上に記憶されたソフトウェアの実行を含む一般の処理を担う。ソフトウェアは、プロセッサ１２０６によって実行されると、処理システム１２０２に、任意の特定の装置について上述された様々な機能を実行させる。コンピュータ可読媒体／メモリ１２０８はまた、ソフトウェアを実行するときにプロセッサ１２０６によって操作されるデータを記憶するために使用され得る。処理システムは更に、モジュール１１０４、１１０６及び１１０８のうちの少なくとも１つを含む。モジュールは、プロセッサ１２０６中で実行中であり、コンピュータ可読媒体／メモリ１２０８中に存在する／記憶されたソフトウェアモジュール、プロセッサ１２０６に結合された１つ又は複数のハードウェアモジュール、又はそれらの何らかの組み合わせであり得る。処理システム１２０２は、ｅＮＢ１１０のコンポーネントであり得、メモリ２４２及び／又はＴＸ ＭＩＭＯプロセッサ２３０、ＲＸプロセッサ２３８、及び／又はコントローラ／プロセッサ２４０のうちの少なくとも１つを含み得る。
【０１５８】
[00163]いくつかの態様では、ワイヤレス通信のための装置１１０２／１１０２’は、アップリンク通信に関連付けられた受信されたシンボルのための位相回転を決定するための手段、ここにおいて、アップリンク通信は、２トーン変調スキームを使用し、サブ物理リソースブロック粒度でのリソース割り振りに関連付けられ、位相回転は、受信されたシンボルに関連付けられたトーンのトーンインデックスに少なくとも部分的に基づいて決定される、受信されたシンボルに位相回転を適用するための手段、及び／又は同様のものを含む。前述された手段は、前述された手段によって記載された機能を実行するように構成された装置１１０２’の処理システム１２０２及び／又は装置１１０２の前述されたモジュールのうちの１つ又は複数であり得る。上述されたように、処理システム１２０２は、ＴＸ ＭＩＭＯプロセッサ２３０、受信プロセッサ２３８、及び／又はコントローラ／プロセッサ２４０を含み得る。一構成では、前述された手段は、前述された手段によって記載された機能を実行するように構成されたＴＸ ＭＩＭＯプロセッサ２３０、受信プロセッサ２３１２、及び／又はコントローラ／プロセッサ２４０であり得る。
【０１５９】
[00164]図１２は、一例として提供される。他の例は、図１２に関連して説明されたものとは異なり得る。
【０１６０】
[00165]図１３は、ワイヤレス通信の方法１３００のフローチャートである。方法は、ＵＥ（例えば、図１のＵＥ１２０、装置１４０２／１４０２’、及び／又は同様のもの）によって実行され得る。
【０１６１】
[00166]１３１０において、ＵＥは、シンボルのための位相回転を決定し得る。例えば、ＵＥは、上述されたように、シンボルのための位相回転を（例えば、ＭＯＤ２５４、ＴＸ ＭＩＭＯプロセッサ２６６、送信プロセッサ２６４、コントローラ／プロセッサ２８０、及び／又は同様のものを使用して）決定し得る。いくつかの態様では、位相回転は、上述されたように、リソース割り振りに関連付けられたトーンインデックスに少なくとも部分的に基づいて決定される。
【０１６２】
[00167]１３２０において、ＵＥは、シンボルに位相回転を適用し得る。例えば、ＵＥは、上述されたように、シンボルに位相回転を（例えば、ＭＯＤ２５４、ＴＸ ＭＩＭＯプロセッサ２６６、送信プロセッサ２６４、コントローラ／プロセッサ２８０、及び／又は同様のものを使用して）適用し得る。
【０１６３】
[00168]１３３０において、ＵＥは、サブＰＲＢリソース割り振りに関連付けられた単一のトーン中でシンボルを送信し得る。例えば、ＵＥは、上述されたように、サブＰＲＢリソース割り振りにおけるアップリンク通信に関連付けられた単一のトーン中でシンボルを（例えば、アンテナ２５２、ＭＯＤ２５４、ＴＸ ＭＩＭＯプロセッサ２６６、送信プロセッサ２６４、コントローラ／プロセッサ２８０、及び／又は同様のものを使用して）送信し得る。いくつかの態様では、ＵＥは、上述されたように、アップリンク通信を送信するために２トーン変調スキームを使用し、サブＰＲＢ粒度でのリソース割り振りに関連付けられる。
【０１６４】
[00169]方法１３００は、以下に説明される、及び／又は本明細書の他の箇所で説明される１つ又は複数の他の方法若しくはプロセスに関連する、任意の単一の態様又は態様の任意の組み合わせなどの追加の態様を含み得る。
【０１６５】
[00170]いくつかの態様では、２トーン変調スキームは、π／２ＢＰＳＫ変調を使用する。
【０１６６】
[00171]いくつかの態様では、トーンインデックスは、基準トーンインデックスであり、リソース割り振りに関連付けられ、基準トーンインデックスは、複数のシンボルについて同じである。
【０１６７】
[00172]いくつかの態様では、基準トーンインデックスは、リソース割り振りに関連付けられた３つのトーンのうちの１つのトーンインデックスと一致する。
【０１６８】
[00173]いくつかの態様では、基準トーンインデックスは、リソース割り振りに関連付けられた２つのトーンに少なくとも部分的に基づく。
【０１６９】
[00174]いくつかの態様では、基準トーンインデックスは、リソース割り振りに関連付けられた２つのトーン間の中間点に少なくとも部分的に基づく。
【０１７０】
[00175]いくつかの態様では、トーンインデックスは、シンボルが送信されるトーンのトーンインデックスである。
【０１７１】
[00176]いくつかの態様では、位相回転は、サブフレームの開始時又はスロットの開始時にリセットされる。
【０１７２】
[00177]図１３は、ワイヤレス通信の方法の実例的なブロックを示すが、いくつかの態様では、本方法は、図１３に示されたものと比べて、追加のブロック、より少ないブロック、異なるブロック、又は異なるように配置されたブロックを含み得る。加えて又は代替として、図１３に示される２つ以上のブロックが並列に実行され得る。
【０１７３】
[00178]図１４は、実例的な装置１４０２中の異なるモジュール／手段／コンポーネント間のデータフローを例示する概念的なデータフロー図１４００である。装置１４０２は、ＵＥであり得る。いくつかの態様では、装置１４０２は、決定モジュール１４０４、適用モジュール１４０６、及び／又は送信モジュール１４０８を含む。
【０１７４】
[00179]決定モジュール１４０４は、本明細書で説明されるように、受信されたデータ１４１０に基づいて、シンボルのための位相回転を決定し得る。例えば、決定モジュール１４０４は、上述されたように、サブＰＲＢリソース割り振りに関連付けられたトーンインデックスに少なくとも部分的に基づいて、シンボルに関連付けられた位相回転を決定し得る。
【０１７５】
[00180]適用モジュール１４０６は、決定モジュール１４０４から、データ１４１２として、シンボルに位相回転を適用することに関連付けられた情報を受信し得る。いくつかの態様では、適用モジュール１４０６は、シンボルに位相回転を適用し得る。例えば、適用モジュール１４０６は、上述されたように、シンボルに関連付けられた更なる処理（例えば、変調、符号化、及び／又は同様のもの）が実行されることができるように、受信されたシンボルに位相回転を適用し得る。
【０１７６】
[00181]送信モジュール１４０８は、上述されたように、適用モジュール１４０６から、データ１４１４として、位相回転されたシンボルに関連付けられた情報を受信し得、サブＰＲＢ粒度でのリソース割り振りに少なくとも部分的に基づいて送信されるべきアップリンク通信に関連付けられたシンボルを送信し得る。
【０１７７】
[00182]装置は、図１３の前述された方法１３００及び／又は同様のものにおけるアルゴリズムのブロックの各々を実行する追加のモジュールを含み得る。そのため、前述された図１３の方法１３００及び／又は同様のものにおける各ブロックは、モジュールによって実行され得、装置は、それらのモジュールのうちの１つ又は複数を含み得る。モジュールは、記載されたプロセス／アルゴリズムを実行するように特に構成された１つ又は複数のハードウェアコンポーネントであり得るか、記載されたプロセス／アルゴリズムを実行するように構成されたプロセッサによってインプリメントされ得るか、プロセッサによるインプリメンテーションのためにコンピュータ可読媒体内に記憶され得るか、又はそれらの何らかの組み合わせであり得る。
【０１７８】
[00183]図１４に示されるモジュールの数及び配置は、例として提供される。実際には、図１４に示されるものと比べて、追加のモジュール、より少ないモジュール、異なるモジュール、又は異なるように配置されたモジュールがあり得る。更に、図１４に示される２つ以上のモジュールは、単一のモジュール内にインプリメントされ得るか、又は図１４に示される単一のモジュールは、複数の分散型モジュールとしてインプリメントされ得る。加えて又は代替として、図１４に示されるモジュールのセット（例えば、１つ又は複数のモジュール）は、図１４に示されるモジュールの別のセットによって実行されるものとして説明される１つ又は複数の機能を実行し得る。
【０１７９】
[00184]図１５は、処理システム１５０２を用いる装置１４０２’のためのハードウェアインプリメンテーションの一例を例示する図１５００である。装置１４０２’は、ＵＥであり得る。
【０１８０】
[00185]処理システム１５０２は、一般にバス１５０４よって表されるバスアーキテクチャを用いてインプリメントされ得る。バス１５０４は、処理システム１５０２の特定のアプリケーション及び全体的な設計制約に応じて、任意の数の相互接続バス及びブリッジを含み得る。バス１５０４は、プロセッサ１５０６、モジュール１４０４、１４０６、１４０８、及びコンピュータ可読媒体／メモリ１５０８によって表された、１つ又は複数のプロセッサ及び／又はハードウェアモジュールを含む様々な回路を共にリンクさせる。バス１５０４はまた、タイミングソース、周辺機器、電圧レギュレータ、及び電力管理回路などの様々な他の回路をリンクし得るが、それらは、当該技術において良く知られており、従って、これ以上は説明されない。
【０１８１】
[00186]処理システム１５０２は、トランシーバ１５１０に結合され得る。トランシーバ１５１０は、１つ又は複数のアンテナ１５１２に結合される。トランシーバ１５１０は、送信媒体を通して様々な他の装置と通信するための手段を提供する。トランシーバ１５１０は、１つ又は複数のアンテナ１５１２から信号を受信し、受信された信号から情報を抽出し、抽出された情報を処理システム１５０２、具体的には受信モジュール（図示せず）に提供する。加えて、トランシーバ１５１０は、処理システム１５０２、具体的には送信モジュール１４０８から情報を受信し、受信された情報に少なくとも部分的に基づいて、１つ又は複数のアンテナ１５１２に適用されることになる信号を生成する。処理システム１５０２は、コンピュータ可読媒体／メモリ１５０８に結合されたプロセッサ１５０６を含む。プロセッサ１５０６は、コンピュータ可読媒体／メモリ１５０８上に記憶されたソフトウェアの実行を含む一般の処理を担う。ソフトウェアは、プロセッサ１５０６によって実行されると、処理システム１５０２に、任意の特定の装置について上述された様々な機能を実行させる。コンピュータ可読媒体／メモリ１５０８はまた、ソフトウェアを実行するときにプロセッサ１５０６によって操作されるデータを記憶するために使用され得る。処理システムは更に、モジュール１４０４、１４０６及び１４０８のうちの少なくとも１つを含む。モジュールは、プロセッサ１５０６中で実行中であり、コンピュータ可読媒体／メモリ１５０８中に存在する／記憶されたソフトウェアモジュール、プロセッサ１５０６に結合された１つ又は複数のハードウェアモジュール、又はそれらの何らかの組み合わせであり得る。処理システム１５０２は、ＵＥ１２０のコンポーネントであり得、メモリ２８２及び／又はＴＸ ＭＩＭＯプロセッサ２６６、ＴＸプロセッサ２６４、及び／又はコントローラ／プロセッサ２８０のうちの少なくとも１つを含み得る。
【０１８２】
[00187]いくつかの態様では、ワイヤレス通信のための装置１５０２／１４０２’は、アップリンク通信に関連付けられた受信されたシンボルのための位相回転を決定するための手段、ここにおいて、アップリンク通信は、２トーン変調スキームを使用し、サブ物理リソースブロック粒度でのリソース割り振りに関連付けられ、位相回転は、リソース割り振りに関連付けられたトーンインデックスに少なくとも部分的に基づいて決定される、  受信されたシンボルに位相回転を適用するための手段、及び／又は同様のものを含む。前述された手段は、前述された手段によって記載された機能を実行するように構成された装置１４０２’の処理システム１５０２及び／又は装置１４０２の前述されたモジュールのうちの１つ又は複数であり得る。上述されたように、処理システム１５０２は、ＴＸ ＭＩＭＯプロセッサ２６６、送信プロセッサ２６８、及び／又はコントローラ／プロセッサ２８０を含み得る。一構成では、前述された手段は、前述された手段によって記載された機能を実行するように構成されたＴＸ ＭＩＭＯプロセッサ２６６、送信プロセッサ２６４、及び／又はコントローラ／プロセッサ２８０であり得る。
【０１８３】
[00188]図１５は、一例として提供される。他の例は、図１５に関連して説明されたものとは異なり得る。
【０１８４】
[00189]開示されたプロセス／フローチャート中のブロックの特定の順序又は階層は、実例的なアプローチの例示であることが理解されるべきである。設計の選好に基づいて、これらプロセス／フローチャート中のブロックの特定の順序又は階層は、再配置され得ることが理解されるべきである。更に、いくつかのブロックは、組み合わされ得るか、又は省略され得る。添付の方法の請求項は、サンプルの順序で様々なブロックの要素を提示しており、提示された特定の順序又は階層に限定されることを意図されない。
【０１８５】
[00190]先の説明は、いかなる当業者であっても、本明細書で説明された様々な態様を実施することを可能にするために提供される。これらの態様への様々な修正は、当業者にとって容易に明らかとなり、本明細書で定義された包括的な原理は、他の態様に適用され得る。このことから、特許請求の範囲は、本明細書で示された態様に限定されることを意図されないが、特許請求の範囲の文言と一致する全範囲を付与されるべきであり、ここにおいて、単数形での要素への言及は、そうであると具体的に記載されない限り、「１つ及び１つのみ」を意味することを意図されず、むしろ「１つ又は複数」を意味する。別途具体的に記載されない限り、「いくつかの／いくらかの／何らかの」という用語は、１つ又は複数を指す。「Ａ、Ｂ、又はＣのうちの少なくとも１つ」、「Ａ、Ｂ、及びＣのうちの少なくとも１つ」、及び「Ａ、Ｂ、Ｃ、又はそれらの任意の組み合わせ」などの組み合わせは、Ａ、Ｂ、及び／又はＣの任意の組み合わせを含み、複数のＡ、複数のＢ、又は複数のＣを含み得る。具体的には、「Ａ、Ｂ、又はＣのうちの少なくとも１つ」、「Ａ、Ｂ、及びＣのうちの少なくとも１つ」、及び「Ａ、Ｂ、Ｃ、又はそれらの任意の組み合わせ」などの組み合わせは、Ａのみ、Ｂのみ、Ｃのみ、ＡとＢ、ＡとＣ、ＢとＣ、又はＡとＢとＣであり得、ここで、任意のそのような組み合わせは、Ａ、Ｂ、又はＣの１つまた複数のメンバを包含し得る。当業者に知られているか、又は後に知られることになる、この開示全体を通じて説明された様々な態様の要素に対する全ての構造的及び機能的な同等物は、参照によって本明細書に明確に組み込まれ、特許請求の範囲によって包含されることを意図される。その上、本明細書で開示されたものはいずれも、そのような開示が特許請求の範囲に明示的に記載されているかどうかにかかわらず、公に献呈されることを意図されない。どの請求項の要素も、その要素が「〜のための手段」というフレーズを使用して明確に記載されていない限り、ミーンズプラスファンクションとして解釈されるべきではない。
【図１】
2021511725.tif 000008
【図２】
2021511725.tif 000009
【図３】
2021511725.tif 000010
【図４】
2021511725.tif 000011
【図５Ａ】
2021511725.tif 000012
【図５Ｂ】
2021511725.tif 000013
【図５Ｃ】
2021511725.tif 000014
【図５Ｄ】
2021511725.tif 000015
【図５Ｅ】
2021511725.tif 000016
【図６】
2021511725.tif 000017
【図７】
2021511725.tif 000018
【図８】
2021511725.tif 000019
【図９】
2021511725.tif 000020
【図１０】
2021511725.tif 000021
【図１１】
2021511725.tif 000022
【図１２】
2021511725.tif 000023
【図１３】
2021511725.tif 000024
【図１４】
2021511725.tif 000025
【図１５】
2021511725.tif 000026
【国際調査報告】
2021511725.tif 000027
2021511725.tif 000028
2021511725.tif 000029
2021511725.tif 000030
2021511725.tif 000031